(57)【特許請求の範囲】
【請求項１】
リング状にポート番号が付与された複数の異なる系統毎に設置される複数の系統分岐器（４Ａ、４Ｂ、４Ｃ、４Ｄ、４Ｅ、４Ｆ、４Ｇ、４Ｈ、４Ｉ、４Ｊ、４Ｋ、４Ｌ）と、前記系統毎に設置される複数の系統分岐器のうち最後段の当該系統分岐器に接続される終端分岐器（５）と、前記系統分岐器に接続される複数の端末（１、１、・・・、２、２、・・・、３、３、・・・）と、前記複数の系統のうち少なくとも２の系統にそれぞれ割当てられる当該系統分岐器に幹線（Ｌ1、Ｌ2、Ｌ3）を経由して接続され、前記複数の端末の送受信制御を行うための制御装置（６）とを備えるインターホンシステムにおいて、
前記制御装置は、当該制御装置が管理を行うＩＤ番号を前記系統分岐器に付与するための番号付与フレーム信号を生成する系統／ＩＤ番号管理部（６０）と、前記系統毎に設けられ前記系統／ＩＤ番号管理部にて生成された前記番号付与フレーム信号を前記幹線に送出するための系統データ通信部（６１、６２、６３）とを備え、
前記系統分岐器は、前記制御装置から前記幹線を経由して伝送されてくる前記番号付与フレーム信号に付加されたＩＤ番号を自系統分岐器の当該ＩＤ番号として登録し、前記登録が完了したことの登録完了フレーム信号を生成するためのＩＤ番号管理部（４０）を備え、
前記終端分岐器は、前記複数の系統毎の幹線に接続された前記最後段の当該系統分岐器から伝送されてくる前記番号付与フレーム信号及び前記登録完了フレーム信号を受信するための終端分岐データ通信部（５０、５１、５２）と、前記終端分岐データ通信部にて受信した前記番号付与フレーム信号及び前記登録完了フレーム信号に付加された系統番号及びＩＤ番号を登録し、前記番号付与フレーム信号及び前記登録完了フレーム信号を受信した当該系統データ通信部が接続される幹線に付与されたポート番号に隣接する当該ポート番号の幹線における前記番号付与フレーム信号及び前記登録完了フレーム信号の送受信を管理するための幹線分岐制御部（５３）とを備えることを特徴とするインターホンシステム。
【請求項２】
前記終端分岐器の前記幹線分岐制御部は、前記系統データ通信部における前記最後段の当該系統分岐器から伝送されてくる前記番号付与フレーム信号の受信動作を検出すると、当該系統データ通信部にて受信した前記番号付与フレーム信号を構成する系統番号及びＩＤ番号のうち当該系統番号を登録するとともに、当該ＩＤ番号より「１」減算した番号を登録した後、前記受信動作が検出された前記系統データ通信部に接続される幹線に付与されたポート番号に隣接する当該系統番号及び当該ＩＤ番号の登録状態を確認し、登録状態でないとき、前記受信した番号付与フレーム信号を構成するＩＤ番号を付加した番号付与フレーム信号を生成し、前記番号付与フレーム信号を受信した当該系統データ通信部が接続される幹線に付与されたポート番号に隣接する当該ポート番号の幹線に接続された当該系統データ通信部から最後段の当該系統分岐器に送出することを特徴とする請求項１記載のインターホンシステム。
【請求項３】
前記終端分岐器の前記幹線分岐制御部は、前記系統データ通信部における前記最後段の当該系統分岐器から伝送されてくる前記登録完了フレーム信号の受信動作を検出すると、当該系統データ通信部にて受信した前記登録完了フレーム信号を構成する系統番号及びＩＤ番号を登録した後、前記受信動作が検出された前記系統データ通信部に接続される幹線に付与されたポート番号に隣接する当該系統番号及び当該ＩＤ番号の登録状態を確認し、登録状態でないとき、前記受信した番号付与フレーム信号を構成するＩＤ番号に所定値を追加した番号付与フレーム信号を生成し、前記登録完了フレーム信号を受信した当該系統データ通信部が接続される幹線に付与されたポート番号に隣接する当該ポート番号の幹線に接続された当該系統データ通信部から最後段の当該系統分岐器に送出することを特徴とする請求項１又は請求項２項記載のインターホンシステム。
【請求項４】
前記系統分岐器は、前記制御装置から前記幹線を経由して伝送されてくる前記番号付与フレーム信号を受信するための前段側データ通信部（４１）と、前記終端分岐器から前記幹線を経由して伝送されてくる前記番号付与フレーム信号を受信するための後段側データ通信部（４２）とを備え、
前記ＩＤ番号管理部は、前記前段側データ通信部及び前記後段側データ通信部のうち何れか一方の当該データ通信部において受信された前記番号付与フレーム信号に付加されているＩＤ番号を自系統分岐器の当該ＩＤ番号として登録した後、前記登録が完了したことの前記登録完了フレーム信号を生成し、前記一方の当該データ通信部から前記幹線を経由して前記制御装置に送出することを特徴とする請求項２又は請求項３記載のインターホシステム。
【請求項５】
前記系統分岐器の前記ＩＤ番号管理部は、前記前段側データ通信部及び前記後段側データ通信部のうち何れか一方の当該データ通信部において前記番号付与フレーム信号の受信動作を検出したとき、前記受信した番号付与フレーム信号を構成するＩＤ番号に所定値を追加させた当該番号付与フレーム信号を生成して他方の当該データ通信部から前記幹線に送出することを特徴とする請求項４記載のインターホンシステム。
【請求項６】
当該インターホンシステムの初期起動後において、前記番号付与フレーム信号の受信動作が行われた当該データ通信部と前記幹線を経由して前記制御装置との間で通信を行うものであって、前記制御装置から前記番号付与フレーム信号の受信動作が行われた当該データ通信部への出力信号が不達であるとき、前記ＩＤ番号の再付与を要求するための通知フレーム信号を生成して前記幹線に送出することを特徴とする請求項４又は請求項５項記載のインターホンシステム。
【請求項７】
前記番号付与フレーム信号の受信動作が行われた当該データ通信部は、前記制御装置からの出力信号が不達であるとき、前記ＩＤ番号の再付与を要求するための前記通知フレーム信号を定期的に生成して前記幹線に送出することを特徴とする請求項６記載のインターホンシステム。
【発明の詳細な説明】
【技術分野】
【０００１】
本発明は、インターホンシステムに係り、特に、制御装置により送受信制御される複数の端末を、複数の系統分岐器を経由して接続することができるインターホンシステムに関する。
【背景技術】
【０００２】
従来から、この種のインターホンシステムとして、同一の幹線（主幹線）に接続されている住戸端末同士の通信が可能な集合住宅用インターホンシステムが開示されている（例えば、特許文献１を参照。）。
【先行技術文献】
【特許文献】
【０００３】
【特許文献１】特開２０１０−２８７７１号公報
【発明の概要】
【発明が解決しようとする課題】
【０００４】
しかしながら、背景技術に記載した集合住宅用インターホンシステムによれば、分岐器に故障等が発生して幹線（主幹線）を経由した接続が切断されると、接続断の分岐器より後段側に接続されている分岐器全てが使用できなくなり、継続した通信が不可能となる難点があった。
【０００５】
本発明は、この難点を解消するためになされたもので、複数の系統毎の幹線に接続される系統分岐器のうち最後段の系統分岐器と終端分岐器とを接続して通信経路を多重化し、系統分岐器間の接続断時又はその復旧時においてＩＤ番号を再付与して通信経路を変更することにより、継続した通信が可能なインターホンシステムを提供することを目的としている。
【課題を解決するための手段】
【０００６】
前述の目的を達成するため、本発明の第１の態様であるインターホンシステムは、リング状にポート番号が付与された複数の異なる系統毎に設置される複数の系統分岐器と、系統毎に設置される複数の系統分岐器のうち最後段の当該系統分岐器に接続される終端分岐器と、系統分岐器に接続される複数の端末と、複数の系統のうち少なくとも２の系統にそれぞれ割当てられる当該系統分岐器に幹線を経由して接続され、複数の端末の送受信制御を行うための制御装置とを備えている。制御装置は、当該制御装置が管理を行うＩＤ番号を系統分岐器に付与するための番号付与フレーム信号を生成する系統／ＩＤ番号管理部と、系統毎に設けられ系統／ＩＤ番号管理部にて生成された番号付与フレーム信号を幹線に送出するための系統データ通信部とを備えている。系統分岐器は、制御装置から幹線を経由して伝送されてくる番号付与フレーム信号に付加されたＩＤ番号を自系統分岐器の当該ＩＤ番号として登録し、登録が完了したことの登録完了フレーム信号を生成するためのＩＤ番号管理部を備えている。終端分岐器は、複数の系統毎の幹線に接続された最後段の当該系統分岐器から伝送されてくる番号付与フレーム信号及び登録完了フレーム信号を受信するための終端分岐データ通信部と、終端分岐データ通信部にて受信した番号付与フレーム信号及び登録完了フレーム信号に付加された系統番号及びＩＤ番号を登録し、番号付与フレーム信号及び登録完了フレーム信号を受信した当該系統データ通信部が接続される幹線に付与されたポート番号に隣接する当該ポート番号の幹線における番号付与フレーム信号及び登録完了フレーム信号の送受信を管理するための幹線分岐制御部とを備えている。
【０００７】
また、本発明の第２の態様であるインターホンシステムは、本発明の第１の態様において、終端分岐器の幹線分岐制御部は、系統データ通信部における最後段の当該系統分岐器から伝送されてくる番号付与フレーム信号の受信動作を検出すると、当該系統データ通信部にて受信した番号付与フレーム信号を構成する系統番号及びＩＤ番号のうち当該系統番号を登録するとともに、当該ＩＤ番号より「１」減算した番号を登録した後、受信動作が検出された系統データ通信部に接続される幹線に付与されたポート番号に隣接する当該系統番号及び当該ＩＤ番号の登録状態を確認し、登録状態でないとき、受信した番号付与フレーム信号を構成するＩＤ番号を付加した番号付与フレーム信号を生成し、番号付与フレーム信号を受信した当該系統データ通信部が接続される幹線に付与されたポート番号に隣接する当該ポート番号の幹線に接続された当該系統データ通信部から最後段の当該系統分岐器に送出するものである。
【０００８】
また、本発明の第３の態様であるインターホンシステムは、本発明の第１の態様又は第２の態様において、終端分岐器の幹線分岐制御部は、系統データ通信部における最後段の当該系統分岐器から伝送されてくる登録完了フレーム信号の受信動作を検出すると、当該系統データ通信部にて受信した登録完了フレーム信号を構成する系統番号及びＩＤ番号を登録した後、受信動作が検出された系統データ通信部に接続される幹線に付与されたポート番号に隣接する当該系統番号及び当該ＩＤ番号の登録状態を確認し、登録状態でないとき、受信した番号付与フレーム信号を構成するＩＤ番号に所定値を追加した番号付与フレーム信号を生成し、登録完了フレーム信号を受信した当該系統データ通信部が接続される幹線に付与されたポート番号に隣接する当該ポート番号の幹線に接続された当該系統データ通信部から最後段の当該系統分岐器に送出するものである。
【０００９】
また、本発明の第４の態様であるインターホンシステムは、本発明の第２の態様又は第３の態様において、系統分岐器は、制御装置から幹線を経由して伝送されてくる番号付与フレーム信号を受信するための前段側データ通信部と、終端分岐器から幹線を経由して伝送されてくる番号付与フレーム信号を受信するための後段側データ通信部とを備えている。ＩＤ番号管理部は、前段側データ通信部及び後段側データ通信部のうち何れか一方の当該データ通信部において受信された番号付与フレーム信号に付加されているＩＤ番号を自系統分岐器の当該ＩＤ番号として登録した後、登録が完了したことの登録完了フレーム信号を生成し、一方の当該データ通信部から幹線を経由して制御装置に送出するものである。
【００１０】
また、本発明の第５の態様であるインターホンシステムは、本発明の第４の態様において、系統分岐器のＩＤ番号管理部は、前段側データ通信部及び後段側データ通信部のうち何れか一方の当該データ通信部において番号付与フレーム信号の受信動作を検出したとき、受信した番号付与フレーム信号を構成するＩＤ番号に所定値を追加させた当該番号付与フレーム信号を生成して他方の当該データ通信部から幹線に送出するものである。
【００１１】
また、本発明の第６の態様であるインターホンシステムは、本発明の第４の態様又は第５の態様において、当該インターホンシステムの初期起動後において、番号付与フレーム信号の受信動作が行われた当該データ通信部と幹線を経由して制御装置との間で通信を行うものであって、制御装置から番号付与フレーム信号の受信動作が行われた当該データ通信部への出力信号が不達であるとき、ＩＤ番号の再付与を要求するための通知フレーム信号を生成して幹線に送出するものである。
【００１２】
また、本発明の第７の態様であるインターホンシステムは、本発明の第６の態様において、番号付与フレーム信号の受信動作が行われた当該データ通信部は、制御装置からの出力信号が不達であるとき、ＩＤ番号の再付与を要求するための通知フレーム信号を定期的に生成して幹線に送出するものである。
【発明の効果】
【００１３】
本発明のインターホンシステムによれば、リング状にポート番号が付与された複数の異なる系統毎に設置され、当該系統毎に異なる幹線を経由して制御装置に接続される複数の系統分岐器のうち、少なくとも２の系統における最後段の系統分岐器を終端分岐器に接続して通信経路を多重化し、系統分岐器の接続断時又はその接続断の復旧時においてＩＤ番号の再付与することで通信経路を変更することができる。これにより、ある系統分岐器と幹線との間が接続断となった場合であっても、他の系統分岐器を経由した継続通信が可能となる。
【図面の簡単な説明】
【００１４】
【図１】本発明の実施例によるインターホンシステムの全体構成を示すシステム説明図。
【図２】本発明の実施例によるインターホンシステムにおいて、（Ａ）は制御装置の具体的な構成を示すブロック図、（Ｂ）は複数の系統分岐器の具体的な構成を示すブロック図、（Ｃ）は終端分岐器の具体的な構成を示すブロック図。
【図３】本発明の実施例によるインターホンシステムにおける具体的な動作（第１の動作）を説明するための模式図（Ａ）、（Ｂ）。
【図４】本発明の実施例によるインターホンシステムにおける具体的な動作（第２の動作）を説明するための模式図（Ａ）、（Ｂ）。
【図５】本発明の実施例によるインターホンシステムにおける具体的な動作（第２の動作）を説明するための模式図（Ａ）、（Ｂ）。
【図６】本発明の実施例によるインターホンシステムにおける具体的な動作（第３の動作）を説明するための模式図（Ａ）、（Ｂ）、（Ｃ）。
【発明を実施するための形態】
【００１５】
以下、本発明のインターホンシステムを適用した実施の形態例について、図面を参照して説明する。
【００１６】
図１は、本発明の実施例によるインターホンシステムの全体構成を示すシステム説明図である。このインターホンシステムは、所定の建物内、例えば、マンション等の集合住宅の複数のフロア毎のフロア玄関、住戸内、住戸玄関等にそれぞれ設置される複数の端末を構成するカメラ端末１、１、・・・、モニタ端末２、２、・・・及び子機端末３、３、・・・と、複数の端末１、１、・・・、２、２、・・・、３、３、・・・のうち複数のフロア毎に設置可能な端末の台数に制限が設けられている場合において、当該端末を複数の異なる系統毎に割当てて分岐するための（複数の）系統分岐器４Ａ、４Ｂ、４Ｃ、４Ｄ、４Ｅ、４Ｆ、４Ｇ、４Ｈ、４Ｉ、４Ｊ、４Ｋ、４Ｌと、複数の異なる系統毎に設置される（複数の）系統分岐器４Ａ、４Ｂ、４Ｃ、４Ｄ、４Ｅ、４Ｆ、４Ｇ、４Ｈ、４Ｉ、４Ｊ、４Ｋ、４Ｌのうち後述する最後段の当該系統分岐器に接続される終端分岐器５と、複数の系統のうち少なくとも２以上の系統にそれぞれ割当てられる当該系統分岐器に系統毎の後述する幹線（系統幹線）を経由して接続され、複数の端末１、１、・・・、２、２、・・・、３、３、・・・の送受信制御、例えば、呼出時における制御信号の伝送、映像撮像時における映像信号の伝送、通話成立時における音声信号の送受信等を行うための制御装置６とが備えられている。
【００１７】
なお、本発明の実施例において、複数の系統としては、系統番号が「１」、「２」、「３」で異なる第１乃至第３の系統が設定されているものとし、この系統毎の幹線（系統幹線）としては、第１乃至第３の系統幹線Ｌ1、Ｌ2、Ｌ3がそれぞれ割当てられているものとする。
【００１８】
また、制御装置６に接続される（少なくとも２の系統にそれぞれ割当てられる）複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌとしては、（幹線番号「１」の）第１の系統幹線Ｌ1を経由して当該制御装置寄りの最前段から終端分岐器５寄りの最後段まで順次接続される（４台の）系統分岐器４Ａ、４Ｂ、４Ｃ、４Ｄと、（幹線番号「２」の）第２の系統幹線Ｌ2を経由して当該制御装置寄りの最前段から終端分岐器５寄りの最後段まで順次接続される（４台の）系統分岐器４Ｅ、４Ｆ、４Ｇ、４Ｈと、（幹線番号「３」の）第３の系統幹線Ｌ3を経由して当該制御装置寄りの最前段から終端分岐器５寄りの最後段まで順次接続される（４台の）系統分岐器４Ｉ、４Ｊ、４Ｋ、４Ｌとが備えられているものとする。
【００１９】
なお、複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌにそれぞれ接続される複数の端末１、１、・・・、２、２、・・・、３、３、・・・としては、カメラ端末１、１、・・・のみの接続、モニタ端末２、２、・・・のみの接続、モニタ端末２、２、・・・を経由して子機端末３、３、・・・への接続等、多種・多様な接続の態様を適用することができる。
【００２０】
次に、制御装置６の具体的な構成について、図２（Ａ）のブロック図を参照して説明する。同図に示す制御装置６には、自制御装置６が管理を行うＩＤ番号を複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌにそれぞれ付与するための番号付与フレーム信号を生成する系統／ＩＤ番号管理部６０と、複数の系統である第１乃至第３の系統毎に設けられ、系統／ＩＤ番号管理部６０にて生成された番号付与フレーム信号を（系統毎の）第１乃至第３の系統幹線Ｌ1、Ｌ2、Ｌ3にそれぞれ送出するための複数のデータ通信部、ここでは、第１乃至第３の系統データ通信部６１、６２、６３とが備えられている。また、系統／ＩＤ番号管理部６０と第１乃至第３の系統データ通信部６１、６２、６３の間はそれぞれ、相互に接続、例えば、バスライン接続されている。
【００２１】
次に、複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌの具体的な構成について、図２（Ｂ）のブロック図を参照して説明する。同図に示す系統分岐器４Ａ、４Ｂ、４Ｃ、４Ｄ、４Ｅ、４Ｆ、４Ｇ、４Ｈ、４Ｉ、４Ｊ、４Ｋ、４Ｌはそれぞれ同様な構成であり、制御装置６から第１乃至第３の系統幹線Ｌ1、Ｌ2、Ｌ3をそれぞれ経由して伝送されてくる番号付与フレーム信号に付加されたＩＤ番号を自系統分岐器４Ａ、４Ｂ、４Ｃ、４Ｄ、４Ｅ、４Ｆ、４Ｇ、４Ｈ、４Ｉ、４Ｊ、４Ｋ、４Ｌの当該ＩＤ番号として登録し、登録が完了したことの登録完了フレーム信号を生成するためのＩＤ番号管理部４０と、前述の番号付与フレーム信号を受信するためのデータ通信部であって自系統分岐器４Ａ、４Ｂ、４Ｃ、４Ｄ、４Ｅ、４Ｆ、４Ｇ、４Ｈ、４Ｉ、４Ｊ、４Ｋ、４Ｌにおいて制御装置６寄りの前段側データ通信部４１及びその反対側である終端分岐器５寄りの後段側データ通信部４２と、複数の端末１、１、・・・、２、２、・・・、３、３、・・・が接続可能な複数の端末側データ通信部、ここでは、３つの端末側データ通信部４３、４４、４５とが備えられている。また、前段側データ通信部４１とＩＤ番号管理部４０、端末側データ通信部４３、４４、４５の間、後段側データ通信部４２とＩＤ番号管理部４０、端末側データ通信部４３、４４、４５の間はそれぞれ、相互に接続、例えば、バスライン接続されている。
【００２２】
なお、複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌにおいて、当該端末側データ通信部の数は、図示のような３つ（４３、４４、４５）に限定されるものではなく、任意の数を備えることができる。
【００２３】
次に、終端分岐器５の具体的な構成について、図２（Ｃ）のブロック図を参照して説明する。同図に示す終端分岐器５は、第１乃至第３の系統幹線Ｌ1、Ｌ2、Ｌ3に接続された最後段の系統分岐器４Ｄ、４Ｈ、４Ｌから伝送されてくる番号付与フレーム信号及び登録完了フレーム信号を、所定のポート番号「１」、「２」、「３」を有するポートＰ1、Ｐ2、Ｐ3を経由して受信するための複数のデータ通信部、ここでは、第１乃至第３の終端分岐データ通信部５０、５１、５２と、第１乃至第３の終端分岐データ通信部５０、５１、５２にて受信した番号付与フレーム信号及び登録完了フレーム信号に付与された系統番号及びＩＤ番号を登録するための後述する記憶テーブル５３０を有し、番号付与フレーム信号及び登録完了フレーム信号を受信した当該終端分岐データ通信部が接続される系統幹線に付与されたポート番号「１」、「２」、「３」にリング状で隣接する当該ポート番号に付与された系統幹線における番号付与フレーム信号及び登録完了フレーム信号の送受信を管理するための幹線分岐制御部５３とが備えられている。また、幹線分岐制御部５３と第１乃至第３の終端分岐データ通信部５０、５１、５２の間はそれぞれ、相互に接続、例えば、バスライン接続されている。
【００２４】
このように構成された本発明の実施例によるインターホンシステムにおいて、以下、具体的な動作について説明する。なお、具体的な動作を説明するにあたり送受信される各種信号の図示については、図３乃至図６の模式図についてのみ記載し、図１、図２（Ａ）、（Ｂ）、（Ｃ）においては省略するものとする。
『第１の動作』
本発明の第１の動作として、図１に示すインターホンシステムを所定の建物内、例えば、マンション等の集合住宅に設置する（施工時のような）初回起動時、すなわち、図３（Ａ）に示すように、終端分岐器５の幹線分岐管理部５３における記憶テーブル５３０の登録内容として、前述のポート番号（／幹線番号）「１」、「２」、「３」にそれぞれ割当てられる系統番号、ＩＤ番号及び信号伝送方向を示すデータが登録状態ではない、すなわち、「未登録（未登録状態）」である場合において、図２（Ａ）に示す制御装置６の系統／ＩＤ番号管理部６０は、第１の系統幹線Ｌ1を経由して複数の系統分岐器４Ａ、４Ｂ、４Ｃ、４Ｄが順次接続された第１の系統データ通信部６１に自制御装置６が管理を行うためのＩＤ番号を付与する当該信号であって系統番号「１」が付加された番号付与フレーム信号（以下、第１の系統番号付与フレーム信号という。）Ｓ1を生成する。また、系統／ＩＤ番号管理部６０は、第１の系統番号付与フレーム信号Ｓ1にかかる信号生成と同時のタイミングで、第２の系統幹線Ｌ2を経由して複数の系統分岐器４Ｅ、４Ｆ、４Ｇ、４Ｈが順次接続された第２の系統データ通信部６２に自制御装置６が管理を行うためのＩＤ番号を付与する当該信号であって系統番号「２」が付加された番号付与フレーム信号（以下、第２の系統番号付与フレーム信号という。）Ｓ2と、第３の系統幹線Ｌ3を経由して複数の系統分岐器４Ｉ、４Ｊ、４Ｋ、４Ｌが順次接続された第３の系統データ通信部６３に自制御装置６が管理を行うためのＩＤ番号を付与する当該信号であって系統番号「３」が付加された番号付与フレーム信号（以下、第３の系統番号付与フレーム信号という。）Ｓ3を、それぞれ生成する。
【００２５】
ここで、制御装置６の系統／ＩＤ番号管理部６０にて生成された第１の系統番号付与フレーム信号Ｓ1には、その信号を構成するＩＤ番号として例えば、初期値「１」が付加されており、この第１の系統番号付与フレーム信号Ｓ1は、第１の系統データ通信部６１、第１の系統幹線Ｌ1、系統分岐器４Ａの前段側データ通信部４１を経由してＩＤ番号管理部４０に伝送される。
【００２６】
系統分岐器４ＡのＩＤ番号管理部４０は、前段側データ通信部４１にて受信された第１の系統番号付与フレーム信号Ｓ1を構成するＩＤ番号「１」を自系統分岐器４Ａに割当てられる当該ＩＤ番号として登録した後、この登録が完了したことの登録完了フレーム信号Ｓ10aを生成する。この登録完了フレーム信号Ｓ10aは、ＩＤ番号管理部４０から前段側データ通信部４１、第１の系統幹線Ｌ1、制御装置６の第１の系統データ通信部６１を経由して系統／ＩＤ番号管理部６０に伝送される。
【００２７】
また、系統分岐器４ＡのＩＤ番号管理部４０は、同様に受信された第１の系統番号付与フレーム信号Ｓ1を構成するＩＤ番号「１」に、所定値である例えば、「１」を加えた当該ＩＤ番号「２」と前述の系統番号「１」を付加した第１の系統番号付与フレーム信号Ｓ1aを生成する。この第１の系統番号付与フレーム信号Ｓ1aは、ＩＤ番号管理部４０から後段側データ通信部４２、第１の系統幹線Ｌ1を経由して（直後段の）系統分岐器４Ｂに伝送される。
【００２８】
このように、第１の系統幹線Ｌ1を経由して制御装置６に順次接続された複数の系統分岐器４Ａ、４Ｂ、４Ｃ、４ＤのＩＤ番号管理部４０はそれぞれ、前段側データ通信部４１にて受信された当該第１の系統番号付与フレーム信号を構成するＩＤ番号に、所定値である例えば、「１」を順次加えた当該ＩＤ番号「２」、「３」、「４」、「５」と前述の系統番号「１」を付加した第１の系統番号付与フレーム信号Ｓ1b、Ｓ1b、Ｓ1c、Ｓ1dを生成し、後段側データ通信部４２を経由して第１の系統幹線Ｌ1に送出することができる（図２（Ｂ）、図３（Ｂ）を参照。）。
【００２９】
また、第１の系統幹線Ｌ1を経由して制御装置６に順次接続された複数の系統分岐器４Ａ、４Ｂ、４Ｃ、４ＤのＩＤ番号管理部４０はそれぞれ、前段側データ通信部４１にて受信された第１の系統番号付与フレーム信号Ｓ1、Ｓ1a、Ｓ1b、Ｓ1cを構成するＩＤ番号「１」、「２」、「３」、「４」をそれぞれ、自系統分岐器４Ａ、４Ｂ、４Ｃ、４Ｄに割当てられる当該ＩＤ番号として登録した後、この登録が完了したことの登録完了フレーム信号Ｓ10a、Ｓ10b、Ｓ10c、Ｓ10dを生成し、前述の第１の系統番号付与フレーム信号Ｓ1、Ｓ1a、Ｓ1b、Ｓ1cの信号伝送路と逆の伝送路を経由して制御装置６の系統／ＩＤ番号管理部６０に送出することができる（図２（Ｂ）、図３（Ｂ）を参照。）。
【００３０】
次に、制御装置６の系統／ＩＤ番号管理部６０にて生成された第２の系統番号付与フレーム信号Ｓ2には、その信号を構成するＩＤ番号として例えば、初期値「１」が付加されており、この第２の系統番号付与フレーム信号Ｓ2は、第２の系統データ通信部６２、第２の系統幹線Ｌ2、系統分岐器４Ｅの前段側データ通信部４１を経由してＩＤ番号管理部４０に伝送される。
【００３１】
系統分岐器４ＥのＩＤ番号管理部４０は、前段側データ通信部４１にて受信された第２の系統番号付与フレーム信号Ｓ2を構成するＩＤ番号「１」を自系統分岐器４Ｅに割当てられる当該ＩＤ番号として登録した後、この登録が完了したことの登録完了フレーム信号Ｓ20eを生成する。この登録完了フレーム信号Ｓ20eは、ＩＤ番号管理部４０から前段側データ通信部４１、第２の系統幹線Ｌ2、制御装置６の第２の系統データ通信部６２を経由して系統／ＩＤ番号管理部６０に伝送される。
【００３２】
また、系統分岐器４ＥのＩＤ番号管理部４０は、同様に受信された第２の系統番号付与フレーム信号Ｓ2を構成するＩＤ番号「１」に、所定値である例えば、「１」を加えた当該ＩＤ番号「２」と前述の系統番号「２」を付加した第２の系統番号付与フレーム信号Ｓ2eを生成する。この第２の系統番号付与フレーム信号Ｓ2eは、ＩＤ番号管理部４０から後段側データ通信部４２、第２の系統幹線Ｌ2を経由して（直後段の）系統分岐器４Ｆに伝送される。
【００３３】
このように、第２の系統幹線Ｌ2を経由して制御装置６に順次接続された複数の系統分岐器４Ｅ、４Ｆ、４Ｇ、４ＨのＩＤ番号管理部４０はそれぞれ、前段側データ通信部４１にて受信された当該第２の系統番号付与フレーム信号を構成するＩＤ番号に、所定値である例えば、「１」を順次加えた当該ＩＤ番号「２」、「３」、「４」、「５」と前述の系統番号「２」を付加した第２の系統番号付与フレーム信号Ｓ2e、Ｓ2f、Ｓ2g、Ｓ2hを生成し、後段側データ通信部４２を経由して第２の系統幹線Ｌ2に送出することができる（図２（Ｂ）、図３（Ｂ）を参照。）。
【００３４】
また、第２の系統幹線Ｌ2を経由して制御装置６に順次接続された複数の系統分岐器４Ｅ、４Ｆ、４Ｇ、４ＨのＩＤ番号管理部４０はそれぞれ、前段側データ通信部４１にて受信された第２の系統番号付与フレーム信号Ｓ2、Ｓ2e、Ｓ2f、Ｓ2gを構成するＩＤ番号「１」、「２」、「３」、「４」をそれぞれ、自系統分岐器４Ｅ、４Ｆ、４Ｇ、４Ｈに割当てられる当該ＩＤ番号として登録した後、この登録が完了したことの登録完了フレーム信号Ｓ20e、Ｓ20f、Ｓ20g、Ｓ20hを生成し、前述の第２の系統番号付与フレーム信号Ｓ2、Ｓ2e、Ｓ2f、Ｓ2gの信号伝送路と逆の伝送路を経由して制御装置６の系統／ＩＤ番号管理部６０に送出することができる（図２（Ｂ）、図３（Ｂ）を参照。）。
【００３５】
次に、制御装置６の系統／ＩＤ番号管理部６０にて生成された第３の系統番号付与フレーム信号Ｓ3には、その信号を構成するＩＤ番号として例えば、初期値「１」が付加されており、この第３の系統番号付与フレーム信号Ｓ3は、第３の系統データ通信部６３、第３の系統幹線Ｌ3、系統分岐器４Ｉの前段側データ通信部４１を経由してＩＤ番号管理部４０に伝送される。
【００３６】
系統分岐器４ＩのＩＤ番号管理部４０は、前段側データ通信部４１にて受信された第３の系統番号付与フレーム信号Ｓ3を構成するＩＤ番号「１」を自系統分岐器４Ｉに割当てられる当該ＩＤ番号として登録した後、この登録が完了したことの登録完了フレーム信号Ｓ30iを生成する。この登録完了フレーム信号Ｓ30iは、ＩＤ番号管理部４０から前段側データ通信部４１、第３の系統幹線Ｌ3、制御装置６の第３の系統データ通信部６３を経由して系統／ＩＤ番号管理部６０に伝送される。
【００３７】
また、系統分岐器４ＩのＩＤ番号管理部４０は、同様に受信された第３の系統番号付与フレーム信号Ｓ3を構成するＩＤ番号「１」に、所定値である例えば、「１」を加えた当該ＩＤ番号「２」と前述の系統番号「３」を付加した第３の系統番号付与フレーム信号Ｓ3iを生成する。この第３の系統番号付与フレーム信号Ｓ3iは、ＩＤ番号管理部４０から後段側データ通信部４２、第３の系統幹線Ｌ3を経由して（直後段の）系統分岐器４ｊに伝送される。
【００３８】
このように、第３の系統幹線Ｌ3を経由して制御装置６に順次接続された複数の系統分岐器４Ｉ、４Ｊ、４Ｋ、４ＬのＩＤ番号管理部４０はそれぞれ、前段側データ通信部４１にて受信された当該第３系統番号付与フレーム信号を構成するＩＤ番号に、所定値である例えば、「１」を順次加えた当該ＩＤ番号「２」、「３」、「４」、「５」と前述の系統番号「３」を付加した第３の系統番号付与フレーム信号Ｓ3i、Ｓ3j、Ｓ3k、Ｓ3lを生成し、後段側データ通信部４２を経由して第３の系統幹線Ｌ3に送出することができる（図２（Ａ）、図３（Ｂ）を参照。）。
【００３９】
また、第３の系統幹線Ｌ3を経由して制御装置６に順次接続された複数の系統分岐器４Ｉ、４Ｊ、４Ｋ、４ＬのＩＤ番号管理部４０はそれぞれ、前段側データ通信部４１にて受信された第３の系統番号付与フレーム信号Ｓ3、Ｓ3i、Ｓ3j、Ｓ3kを構成するＩＤ番号「１」、「２」、「３」、「４」をそれぞれ、自系統分岐器４Ｉ、４Ｊ、４Ｋ、４Ｌに割当てられる当該ＩＤ番号として登録した後、この登録が完了したことの登録完了フレーム信号Ｓ30i、Ｓ30j、Ｓ30k、Ｓ30lを生成し、前述の第３の系統番号付与フレーム信号Ｓ3、Ｓ3i、Ｓ3j、Ｓ3kの信号伝送路と逆の伝送路を経由して制御装置６の系統／ＩＤ番号管理部６０に送出することができる（図２（Ａ）、図３（Ｂ）を参照。）。
【００４０】
次に、前述のような動作が行われたとき、終端分岐器５の幹線分岐制御部５３は、ポート番号「１」のポートＰ1に接続される第１の終端分岐データ通信部５０にて受信された、第１の系統幹線Ｌ1を経由して最後段の系統分岐器４Ｄからの出力信号である第１の系統番号付与フレーム信号Ｓ1dを構成する系統番号「１」及びＩＤ番号「５」をもとに、記憶テーブル５３０の登録内容を図３（Ｂ）に示すように、系統番号「１」をポート番号（／幹線番号）「１」に割当てて登録するとともに、ＩＤ番号「５」より「１」減算した当該ＩＤ番号「４」をポート番号（／幹線番号）「１」に割当てて登録し、さらには、自終端分岐器５が第１の系統幹線Ｌ1を経由して制御装置６に接続されており、制御装置６からの出力信号を受信する旨の信号伝送方向を示す「前段側（受信ポート）」のデータをポート番号（／幹線番号）「１」に割当てて登録することができる。
【００４１】
この後、終端分岐器５の幹線分岐制御部５３は、記憶テーブル５３０の登録内容を参照し、受信動作が検出された第１の終端分岐データ通信部５０に接続される第１の系統幹線Ｌ1に付与されたポート番号「１」にリング状で隣接するポート番号「２」に割当てられて系統番号及びＩＤ番号が登録されているか否かを検出し、登録状態でない「未登録（未登録状態）」の場合には、受信した第１の系統番号付与フレーム信号Ｓ1dを構成するＩＤ番号「５」を付加した当該番号付与フレーム信号を生成し、ポート番号「１」にリング状で隣接するポート番号「２」が付与されたポートＰ2に接続されている第２の終端分岐データ通信部５１から第２の系統幹線Ｌ2を経由して最後段の系統分岐器４Ｈに送出する。
【００４２】
また、終端分岐器５の幹線分岐制御部５３は、ポート番号「２」のポートＰ2に接続される第２の終端分岐データ通信部５１にて受信された、第２の系統幹線Ｌ2を経由して最後段の系統分岐器４Ｈからの出力信号である第２の系統番号付与フレーム信号Ｓ2hを構成する系統番号「２」及びＩＤ番号「５」をもとに、記憶テーブル５３０の登録内容を図３（Ｂ）に示すように、系統番号「２」をポート番号（／幹線番号）「２」に割当てて登録するとともに、ＩＤ番号「５」より「１」減算した当該ＩＤ番号「４」をポート番号（／幹線番号）「２」に割当てて登録し、さらには、自終端分岐器５が第２の系統幹線Ｌ2を経由して制御装置６に接続されており、制御装置６からの出力信号を受信する旨の信号伝送方向を示す「前段側（受信ポート）」のデータをポート番号（／幹線番号）「２」に割当てて登録することができる。
【００４３】
この後、終端分岐器５の幹線分岐制御部５３は、記憶テーブル５３０の登録内容を参照し、受信動作が検出された第２の終端分岐データ通信部５１に接続される第２の系統幹線Ｌ2に付与されたポート番号「２」にリング状で隣接するポート番号「３」に割当てられて系統番号及びＩＤ番号が登録されているか否かを検出し、登録状態でない「未登録（未登録状態）」の場合には、受信した第２の系統番号付与フレーム信号Ｓ2hを構成するＩＤ番号「５」を付加した当該番号付与フレーム信号を生成し、ポート番号「２」にリング状で隣接するポート番号「３」が付与されたポートＰ3に接続されている第３の終端分岐データ通信部５２から第３の系統幹線Ｌ3を経由して最後段の系統分岐器４Ｌに送出する。
【００４４】
また、終端分岐器５の幹線分岐制御部５３は、ポート番号「３」のポートＰ3に接続される第３終端分岐データ通信部５２にて受信された、第３の系統幹線Ｌ3を経由して最後段の系統分岐器４Ｌからの出力信号である第３の系統番号付与フレーム信号Ｓ3lを構成する系統番号「３」及びＩＤ番号「５」をもとに、記憶テーブル５３０の登録内容を図３（Ｂ）に示すように、系統番号「３」をポート番号（／幹線番号）「３」に割当てて登録するとともに、ＩＤ番号「５」より「１」減算した当該ＩＤ番号「４」をポート番号（／幹線番号）「３」に割当てて登録し、さらには、自終端分岐器５が第３の系統幹線Ｌ3を経由して制御装置６に接続されており、制御装置６からの出力信号を受信する旨の信号伝送方向を示す「前段側（受信ポート）」のデータをポート番号（／幹線番号）「３」に割当てて登録することができる。
【００４５】
この後、終端分岐器５の幹線分岐制御部５３は、記憶テーブル５３０の登録内容を参照し、受信動作が検出された第３の終端分岐データ通信部５２に接続される第３の系統幹線Ｌ3に付与されたポート番号「３」にリング状で隣接するポート番号「１」に割当てられて系統番号及びＩＤ番号が登録されているか否かを検出し、登録状態でない「未登録（未登録状態）」の場合には、受信した第３の系統番号付与フレーム信号Ｓ3lを構成するＩＤ番号「５」を付加した当該番号付与フレーム信号を生成し、ポート番号「３」にリング状で隣接するポート番号「１」が付与されたポートＰ1に接続されている第１の終端分岐データ通信部５０から第１の系統幹線Ｌ1を経由して最後段の系統分岐器４Ｄに送出する。
【００４６】
ここでは、終端分岐器５の幹線分岐制御部５３における記憶テーブル５３０の登録内容として、図３（Ｂ）に示すようにポート番号（／幹線番号）「１」、「２」、「３」に割当てられて系統番号「１」、「２」、「３」及びＩＤ番号「４」、「４」、「４」がそれぞれ登録されている「登録状態」であるため、前述のような、受信した第１乃至第３の系統番号付与フレーム信号Ｓ1d、Ｓ2h、Ｓ3lをそれぞれ構成するＩＤ番号「５」を付加した当該番号付与フレーム信号が生成されることなく、ゆえに、最後段の系統分岐器４Ｄ、４Ｈ、４Ｌに送出されることもない。
【００４７】
前述までの説明から明らかなように、本発明の第１の動作によれば、制御装置６の系統／ＩＤ番号管理部６０は、初回起動時において自制御装置６が管理を行うためのＩＤ番号を複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌにそれぞれ付与するにあたり、ＩＤ番号の登録が完了したことの登録完了フレーム信号Ｓ10a、Ｓ10b、Ｓ10c、Ｓ10d、Ｓ20e、Ｓ20f、Ｓ20g、Ｓ20h、Ｓ30i、Ｓ30j、Ｓ30k、Ｓ30lを検出することにより、第１の系統幹線Ｌ1を経由して第１の系統データ通信部６１に順次接続された複数の系統分岐器が系統分岐器４ａ、４ｂ、４ｃ、４ｄの「４台」、第２の系統幹線Ｌ2を経由して第２の系統データ通信部６２に順次接続された複数の系統分岐器が系統分岐器４ｅ、４ｆ、４ｇ、４ｈの「４台」、第３の系統幹線Ｌ3を経由して第３の系統データ通信部６３に順次接続された複数の系統分岐器が系統分岐器４ｉ、４ｊ、４ｋ、４ｌの「４台」、であることを確認することができる。
『第２の動作』
次に、本発明の第２の動作として、前述のような初回起動時において、図２（Ａ）に示す制御装置６の第１乃至第３の系統データ通信部６１、６２、６３にそれぞれ、第１の系統幹線Ｌ1を経由して複数の系統分岐器４、４Ｂ、４Ｃ、４Ｄ、第２の系統幹線Ｌ2を経由して複数の系統分岐器４Ｅ、４Ｆ、４Ｇ、４Ｈ、第３の系統幹線Ｌ3を経由して複数の系統分岐器４Ｉ、４Ｊ、４Ｋ、４Ｌが正常に接続された後の図３（Ｂ）、図４（Ａ）に示す（終端分岐器５の幹線分岐制御部５３における）記憶テーブル５３０の登録後の動作であり、例えば、図２（Ｂ）に示す系統分岐器４Ｆ、４Ｌの前段側データ通信部４１に故障等が発生し、系統分岐器４Ｅ及び系統分岐器４Ｆの間を接続する第２の系統幹線Ｌ2と、系統分岐器４Ｋ及び系統分岐器４Ｌの間を接続する第３の系統幹線Ｌ3とがそれぞれ、図４（Ｂ）に示すように切断（接続断）されると、例えば、図１に示す系統分岐器４Ｆの端末側データ通信部４３に接続されるカメラ端末１にて生成された映像信号は、前段側データ通信部４１から第２の系統幹線Ｌ2を経由して（直前段の）系統分岐器４Ｅの後段側データ通信部４２に伝送されず、ゆえに、この系統分岐器４Ｅから第２の系統幹線Ｌ2を経由して制御装置６に対して伝送することもできないため、制御装置６からの出力信号も不達とされ、所謂、不達状態となる。一方、例えば、系統分岐器４Ｌの端末側データ通信部４３に接続されるカメラ端末１にて生成された映像信号についても、前段側データ通信部４１から第３の系統幹線Ｌ3を経由して（直前段の）系統分岐器４Ｋの後段側データ通信部４２に伝送されず、ゆえに、この系統分岐器４Ｋから第３の系統幹線Ｌ3及び前段側の系統分岐器４Ｊ、４Ｉを順次経由して制御装置６に伝送することもできないため、制御装置６からの出力信号も不達とされ、所謂、不達状態となる。
【００４８】
そこで、（図２（Ｂ）に示す系統分岐器４Ｆの直前段である）系統分岐器４Ｅの後段側データ通信部４２は、前述の接続断を検出し、ＩＤ番号の再付与を要求するための通知フレーム信号（以下、第２の系統再付与要求通知フレーム信号という。）Ｓ120eを生成する。この第２の系統再付与要求通知フレーム信号Ｓ120eは、後段側データ通信部４２からＩＤ番号管理部４０、前段側データ通信部４１、第２の系統幹線Ｌ2、制御装置６の第２の系統データ通信部６２を経由して系統／ＩＤ番号管理部６０に伝送される。
【００４９】
また、（図２（Ｂ）に示す）系統分岐器４Ｆの前段側データ通信部４１は、前述の接続断を、系統分岐器４Ｅの後段側データ通信部４２と同時のタイミングで検出し、終端分岐器５の幹線分岐制御部５３における記憶テーブル５３０の登録内容のうちポート番号（／幹線番号）「２」に割当てられている登録内容を（全て）削除して「未登録（未登録状態）」とするための登録情報削除要求フレーム信号（以下、第２の系統登録情報削除要求フレーム信号という。）Ｓ102fを生成する。この第２の系統登録情報削除要求フレーム信号Ｓ102fは、前段側データ通信部４１からＩＤ番号管理部４０、後段側データ通信部４２、第２の系統幹線Ｌ2、系統分岐器４Ｇの前段側データ通信部４１、ＩＤ番号管理部４０、後段側データ通信部４２、第２の系統幹線Ｌ2、系統分岐器４Ｈの前段側データ通信部４１、ＩＤ番号管理部４０、後段側データ通信部４２、第２の系統幹線Ｌ2、終端分岐器５の（ポートＰ2に接続された）第２の終端分岐データ通信部５１を経由して幹線分岐制御部５３に伝送される。
【００５０】
一方、（図２（Ｂ）に示す系統分岐器４Ｌの直前段である）系統分岐器４Ｋの後段側データ通信部４２は、前述の接続断を検出し、ＩＤ番号の再付与を要求するための通知フレーム信号（以下、第３の系統再付与要求通知フレーム信号という。）Ｓ130kを生成する。この第３の系統再付与要求通知フレーム信号Ｓ130kは、後段側データ通信部４２からＩＤ番号管理部４０、前段側データ通信部４１、第３の系統幹線Ｌ3、系統分岐器４Ｊの後段側データ通信部４２、ＩＤ番号管理部４０、前段側データ通信部４１、第３の系統幹線Ｌ3、系統分岐器４Ｉの後段側データ通信部４２、ＩＤ番号管理部４０、前段側データ通信部４１、第３の系統幹線Ｌ3、制御装置６の第３の系統データ通信部６３を経由して系統／ＩＤ番号管理部６０に伝送される。
【００５１】
また、（図２（Ｂ）に示す）系統分岐器４Ｌの前段側データ通信部４１は、前述の接続断を、系統分岐器４Ｋの後段側データ通信部４２と同時のタイミングで検出し、終端分岐器５の幹線分岐制御部５３における記憶テーブル５３０の登録内容のうちポート番号（／幹線番号）「３」に割当てられている登録内容を（全て）削除して「未登録（未登録状態）」とするための登録情報削除要求フレーム信号（以下、第３の系統登録情報削除要求フレーム信号という。）Ｓ103lを生成する。この第３の系統登録情報削除要求フレーム信号Ｓ103lは、前段側データ通信部４１からＩＤ番号管理部４０、後段側データ通信部４２、第３の系統幹線Ｌ3、終端分岐器５の（ポートＰ3に接続された）第３の終端分岐データ通信部５２を経由して幹線分岐制御部５３に伝送される。
【００５２】
この後、終端分岐器５の幹線分岐制御部５３は、前述のように系統分岐器４Ｆ、４Ｌの後段側データ通信部４２からそれぞれ伝送されてきた第２、第３の系統登録情報削除要求フレーム信号Ｓ102f、Ｓ103lを受信すると、記憶テーブル５３０の登録内容を図４（Ｂ）、図５（Ａ）に示すように、ポート番号（／幹線番号）「２」、「３」にそれぞれ割当てられている登録内容を（全て）削除して「未登録（未登録状態）」とすることができる。
【００５３】
一方、制御装置６の系統／ＩＤ番号管理部６０は、前述のように系統分岐器４Ｅ、４Ｋの前段側データ通信部４１からそれぞれ伝送されてきた第２、第３の系統再付与要求通知フレーム信号Ｓ120e、Ｓ130kを受信すると、第１乃至第３の系統幹線Ｌ1、Ｌ2、Ｌ3にそれぞれ接続される第１乃至第３の系統データ通信部６１、６２、６３に対して同時のタイミングで、自制御装置６が管理を行うためのＩＤ番号を再付与する当該信号であって系統番号「１」、「２」、「３」がそれぞれ付加された番号再付与フレーム信号（以下、第１乃至第３の系統番号再付与フレーム信号という。）Ｓ201、Ｓ202、Ｓ203を生成する（図５（Ａ）を参照。）。
【００５４】
ここで、制御装置６の系統／ＩＤ番号管理部６０にて生成された第１の系統番号再付与フレーム信号Ｓ201には、その信号を構成するＩＤ番号として例えば、初期値「１」が付加されており、この第１の系統番号再付与フレーム信号Ｓ201は、第１の系統データ通信部６１、第１の系統幹線Ｌ1、系統分岐器４Ａの前段側データ通信部４１を経由してＩＤ番号管理部４０に伝送される。
【００５５】
系統分岐器４ＡのＩＤ番号管理部４０は、前段側データ通信部４１にて受信された第１の系統番号再付与フレーム信号Ｓ201を構成するＩＤ番号「１」と前述の初回起動時において登録されていたＩＤ番号とを照合する。ここでは、ＩＤ番号が「１」、「１」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【００５６】
また、系統分岐器４ＡのＩＤ番号管理部４０は、同様に受信された第１の系統番号再付与フレーム信号Ｓ201を構成するＩＤ番号「１」に、所定値である例えば、「１」を加えた当該ＩＤ番号「２」と前述の系統番号「１」を付加した第１の系統番号再付与フレーム信号Ｓ201aを生成する。この第１の系統番号再付与フレーム信号Ｓ201aは、ＩＤ番号管理部４０から後段側データ通信部４２、第１の系統幹線Ｌ1を経由して（直前段の）系統分岐器４Ｂに伝送される。
【００５７】
このように、第１の系統幹線Ｌ1を経由して制御装置６に順次接続された複数の系統分岐器４Ａ、４Ｂ、４Ｃ、４ＤのＩＤ番号管理部４０はそれぞれ、前段側データ通信部４１にて受信された当該第１の系統番号再付与フレーム信号を構成するＩＤ番号と前述の初回起動時において登録されていたＩＤ番号とが「１」、「２」、「３」、「４」で一致するため、所定値である例えば、「１」を順次加えた当該ＩＤ番号「２」、「３」、「４」、「５」と前述の系統番号「１」を付加した第１の系統番号再付与フレーム信号Ｓ201a、Ｓ201b、Ｓ201c、Ｓ201dを生成し、後段側データ通信部４２を経由して第１の系統幹線Ｌ1に送出することができる（図２（Ｂ）、図５（Ａ）を参照。）。
【００５８】
この後、終端分岐器５の幹線分岐制御部５３は、第１の系統幹線Ｌ1を経由して最後段の系統分岐器４Ｄより伝送されてきた第１の系統番号再付与フレーム信号Ｓ201dを、（ポートＰ1に接続された）第１の終端分岐データ通信部５０を経由して検出すると、最初に、記憶テーブル５３０においてポート番号（／幹線番号）「１」に割当てられている登録内容を確認する。ここでは、ポート番号（／幹線番号）「１」に割当てられている登録内容が図５（Ａ）に示すように、系統番号「１」、ＩＤ番号「４」及び信号伝送方向を示す「前段側（受信ポート）」のデータで既に登録済みであるため、第１の系統番号再付与フレーム信号Ｓ201dを構成する系統番号及びＩＤ番号に基づく新たな登録動作を行うことはない。
【００５９】
また、終端分岐器５の幹線分岐制御部５３は、前述の第１の系統番号再付与フレーム信号Ｓ201dが受信された第１の終端分岐データ通信部５０に接続される第１の系統幹線Ｌ1に割当てられているポートＰ1のポート番号（／幹線番号）「１」にリング状で隣接するポート番号である、ポート番号（／幹線番号）「２」に割当てられている登録内容を、記憶テーブル５３０を参照して確認する。ここでは、図４（Ｂ）、図５（Ａ）に示すように「未登録（未登録状態）」であるため、第１の終端分岐データ通信部５０を経由して受信された第１の系統番号再付与フレーム信号Ｓ201dを構成する系統番号「１」及びＩＤ番号「５」と前述の系統番号「１」を付加した第１の系統番号再付与フレーム信号Ｓ210を生成する。この第１の系統番号再付与フレーム信号Ｓ210は、幹線分岐制御部５３から第２の終端分岐データ通信部５１、第２の系統幹線Ｌ2、系統分岐器４Ｈの後段側データ通信部４２を経由してＩＤ番号管理部４０に伝送される。
【００６０】
系統分岐器４ＨのＩＤ番号管理部４０は、後段側データ通信部４２にて受信された第１の系統番号再付与フレーム信号Ｓ210を構成するＩＤ番号「５」と前述の初回起動時において予め登録されていたＩＤ番号とを照合する。ここでは、ＩＤ番号が「５」、「４」で不一致であるため、これを検出したＩＤ番号管理部４０は、第１の系統番号再付与フレーム信号Ｓ210を構成するＩＤ番号「５」を、自系統分岐器４Ｈに割当てられる当該ＩＤ番号として図５（Ｂ）に示すように新たに登録（上書き登録）した後、登録されたＩＤ番号「５」及び系統番号「１」が付加された登録完了フレーム信号Ｓ202hを生成する。この登録完了フレーム信号Ｓ202hは、後段側データ通信部４２、第２の系統幹線Ｌ2、終端分岐器５の（ポートＰ2に接続された）第２の終端分岐データ通信部５１、幹線分岐制御部５３、（ポートＰ1に接続された）第１の終端分岐データ通信部５０、第１の系統幹線Ｌ1、系統分岐器４Ｄの後段側データ通信部４２、ＩＤ番号管理部４０、前段側データ通信部４１、第１の系統幹線Ｌ1、系統分岐器４Ｃの後段側データ通信部４２、ＩＤ番号管理部４０、前段側データ通信部４１、第１の系統幹線Ｌ1、系統分岐器４Ｂの後段側データ通信部４２、ＩＤ番号管理部４０、前段側データ通信部４１、第１の系統幹線Ｌ1、系統分岐器４Ａの後段側データ通信部４２、ＩＤ番号管理部４０、前段側データ通信部４１、第１の系統幹線Ｌ1、制御装置６の第１の系統データ通信部６１を経由して系統／ＩＤ番号管理部６０に伝送される。
【００６１】
また、系統分岐器４ＨのＩＤ番号管理部４０は、同様に受信された第１の系統番号再付与フレーム信号Ｓ210を構成するＩＤ番号「５」に、所定値である例えば、「１」を加えた当該ＩＤ番号「６」と前述の系統番号「１」を付加した第１の系統番号再付与フレーム信号Ｓ210hを生成する。この第１の系統番号再付与フレーム信号Ｓ210hは、ＩＤ番号管理部４０から前段側データ通信部４１、第２の系統幹線Ｌ2、系統分岐器４Ｇの後段側データ通信部４２を経由してＩＤ番号管理部４０に伝送される。
【００６２】
系統分岐器４ＧのＩＤ番号管理部４０は、後段側データ通信部４２にて受信された第１の系統番号再付与フレーム信号Ｓ210hを構成するＩＤ番号「６」と前述の初回起動時において登録されていたＩＤ番号とを照合する。ここでは、ＩＤ番号が「６」、「３」で不一致であるため、これを検出したＩＤ番号管理部４０は、第１の系統番号再付与フレーム信号Ｓ210hを構成するＩＤ番号「６」を、自系統分岐器４Ｇに割当てられる当該ＩＤ番号として図５（Ｂ）に示すように新たに登録（上書き登録）した後、登録されたＩＤ番号「６」及び系統番号「１」が付加された登録完了フレーム信号Ｓ202gを生成する。この登録完了フレーム信号Ｓ202gは、ＩＤ番号管理部４０から後段側データ通信部４２、第２の系統幹線Ｌ2、系統分岐器４Ｈの前段側データ通信部４１、ＩＤ番号管理部４０、後段側データ通信部４２、第２の系統幹線Ｌ2、終端分岐器５の（ポートＰ2に接続された）第２の終端分岐データ通信部５１、幹線分岐制御部５３、（ポートＰ1に接続された）第１の終端分岐データ通信部５０、第１の系統幹線Ｌ1、系統分岐器４Ｄの後段側データ通信部４２、ＩＤ番号管理部４０、前段側データ通信部４１、第１の系統幹線Ｌ1、系統分岐器４Ｃの後段側データ通信部４２、ＩＤ番号管理部４０、前段側データ通信部４１、第１の系統幹線Ｌ1、系統分岐器４Ｂの後段側データ通信部４２、ＩＤ番号管理部４０、前段側データ通信部４１、第１の系統幹線Ｌ1、系統分岐器４Ａの後段側データ通信部４２、ＩＤ番号管理部４０、前段側データ通信部４１、第１の系統幹線Ｌ1、制御装置６の第１の系統データ通信部６１を経由して系統／ＩＤ番号管理部６０に伝送される。
【００６３】
また、系統分岐器４ＧのＩＤ番号管理部４０は、同様に受信された第１の系統番号再付与フレーム信号Ｓ210hを構成するＩＤ番号「６」に、所定値である例えば、「１」を加えた当該ＩＤ番号「７」と前述の系統番号「１」を付加した第１の系統番号再付与フレーム信号Ｓ210gを生成する。この第１の系統番号再付与フレーム信号Ｓ210gは、ＩＤ番号管理部４０から前段側データ通信部４１、第２の系統幹線Ｌ2、系統分岐器４Ｆの後段側データ通信部４２を経由してＩＤ番号管理部４０に伝送される。
【００６４】
系統分岐器４ＦのＩＤ番号管理部４０は、後段側データ通信部４２にて受信された第１の系統番号再付与フレーム信号Ｓ210gを構成するＩＤ番号「７」と前述の初回起動時において登録されていたＩＤ番号とを照合する。ここでは、ＩＤ番号が「７」、「２」で不一致であるため、これを検出したＩＤ番号管理部４０は、第１の系統番号再付与フレーム信号Ｓ210gを構成するＩＤ番号「７」を、自系統分岐器４Ｆに割当てられる当該ＩＤ番号として図５（Ｂ）に示すように新たに登録（上書き登録）した後、登録されたＩＤ番号「７」及び系統番号「１」と終端分岐器５が有するポート番号「２」のポートＰ2に接続される最後段の当該系統分岐器であることを示すフラグ（以下、最後段系統分岐器フラグという。）が付加された登録完了フレーム信号Ｓ202fを生成する。この登録完了フレーム信号Ｓ202fは、ＩＤ番号管理部４０から後段側データ通信部４２、第２の系統幹線Ｌ2、系統分岐器４Ｇの前段側データ通信部４１、ＩＤ番号管理部４０、後段側データ通信部４２、第２の系統幹線Ｌ2、系統分岐器４Ｈの前段側データ通信部４１、ＩＤ番号管理部４０、後段側データ通信部４２、第２の系統幹線Ｌ2、終端分岐器５の（ポートＰ2に接続された）第２の終端分岐データ通信部５１、幹線分岐制御部５３、（ポートＰ1に接続された）第１の終端分岐データ通信部５０、第１の系統幹線Ｌ1、系統分岐器４Ｄの後段側データ通信部４２、ＩＤ番号管理部４０、前段側データ通信部４１、第１の系統幹線Ｌ1、系統分岐器４Ｃの後段側データ通信部４２、ＩＤ番号管理部４０、前段側データ通信部４１、第１の系統幹線Ｌ1、系統分岐器４Ｂの後段側データ通信部４２、ＩＤ番号管理部４０、前段側データ通信部４１、第１の系統幹線Ｌ1、系統分岐器４Ａの後段側データ通信部４２、ＩＤ番号管理部４０、前段側データ通信部４１、第１の系統幹線Ｌ1、制御装置６の第１の系統データ通信部６１を経由して系統／ＩＤ番号管理部６０に伝送される。
【００６５】
なお、系統分岐器４ＦのＩＤ番号管理部４０によれば、自系統分岐器４Ｆにおける前段側データ通信部４１及び（直前段である）系統分岐器４Ｅの後段側データ通信部４２の間を接続する第２の系統幹線Ｌ2が、図４（Ｂ）、図５（Ａ）、（Ｂ）に示すように切断（接続断）されているため、前段側データ通信部４１を経由して当該第１の系統番号再付与フレーム信号の送出を行うことはない。
【００６６】
この後、終端分岐器５の幹線分岐制御部５３は、第２の終端分岐データ通信部５１にて受信された登録完了フレーム信号Ｓ202fを構成する最後段系統分岐器フラグを検出すると、記憶テーブル５３０の登録内容として図５（Ｂ）に示すように、ポート番号（／幹線番号）「２」に割当てられる系統番号及びＩＤ番号を、当該登録完了フレーム信号Ｓ202fを構成する系統番号「１」及びＩＤ番号「７」を適用して新たに登録（上書き登録）するとともに、自終端分岐器５が第２の系統幹線Ｌ2を経由して制御装置６に接続されておらず、制御装置６への出力信号を受信する旨の信号伝送方向を示す「後段側（受信ポート）」のデータをポート番号（／幹線番号）「２」に割当てて登録することができる。
【００６７】
また、終端分岐器５の幹線分岐制御部５３は、前述の登録完了フレーム信号Ｓ202f、Ｓ202g、Ｓ202hをそれぞれ受信した第２の終端分岐データ通信部５１に接続されるポートＰ2のポート番号「２」にリング状で隣接するポート番号である、ポート番号（／幹線番号）「３」に割当てられている登録内容を、記憶テーブル５３０を参照して確認する。ここでは、図４（Ａ）、図５（Ａ）に示すように「未登録（未登録状態）」であるため、登録完了フレーム信号Ｓ202fを構成する系統番号「１」及びＩＤ番号「７」のうち、ＩＤ番号「７」に、所定値である例えば、「１」を加えた当該ＩＤ番号「８」と前述の系統番号「１」を付加した第１の系統番号再付与フレーム信号Ｓ211を生成する。この第１の系統番号再付与フレーム信号Ｓ211は、幹線分岐制御部５３から（ポートＰ3に接続された）第３の終端分岐データ通信部５２、第３の系統幹線Ｌ3、系統分岐器４Ｌの後段側データ通信部４２を経由してＩＤ番号管理部４０に伝送される。
【００６８】
系統分岐器４ＬのＩＤ番号管理部４０は、後段側データ通信部４２にて受信された第１の系統番号再付与フレーム信号Ｓ211を構成するＩＤ番号「８」と前述の初回起動時において登録されていたＩＤ番号とを照合する。ここでは、ＩＤ番号が「８」、「４」で不一致であるため、これを検出したＩＤ番号管理部４０は、第１の系統番号再付与フレーム信号Ｓ210を構成するＩＤ番号「８」を、自系統分岐器４Ｌに割当てられる当該ＩＤ番号として新たに登録（上書き登録）した後、登録されたＩＤ番号「８」及び系統番号「１」と終端分岐器５が有するポート番号「３」のポートＰ3に接続される最後段の当該系統分岐器であることを示す最後段分岐器フラグが付加された登録完了フレーム信号Ｓ203lを生成する。この登録完了フレーム信号Ｓ203lは、ＩＤ番号管理部４０から後段側データ通信部４２、第３の系統幹線Ｌ3、終端分岐器５の（ポートＰ3に接続された）第３の終端分岐データ通信部５２、幹線分岐制御部５３、（ポートＰ1に接続された）第１の終端分岐データ通信部５０、第１の系統幹線Ｌ1、系統分岐器４Ｄの後段側データ通信部４２、ＩＤ番号管理部４０、前段側データ通信部４１、第１の系統幹線Ｌ1、系統分岐器４Ｃの後段側データ通信部４２、ＩＤ番号管理部４０、前段側データ通信部４１、第１の系統幹線Ｌ1、系統分岐器４Ｂの後段側データ通信部４２、ＩＤ番号管理部４０、前段側データ通信部４１、第１の系統幹線Ｌ1、系統分岐器４Ａの後段側データ通信部４２、ＩＤ番号管理部４０、前段側データ通信部４１、第１の系統幹線Ｌ1、制御装置６の第１の系統データ通信部６１を経由して系統／ＩＤ番号管理部６０に伝送される。
【００６９】
なお、系統分岐器４ＬのＩＤ番号管理部４０によれば、自系統分岐器４Ｌにおける前段側データ通信部４１及び（直前段である）系統分岐器４Ｋの後段側データ通信部４２の間を接続する第３の系統幹線Ｌ3が、図４（Ｂ）、図５（Ａ）、（Ｂ）に示すように切断（接続断）されているため、前段側データ通信部４１を経由して当該第１の系統番号再付与フレーム信号の送出を行うことはない。
【００７０】
この後、終端分岐器５の幹線分岐制御部５３は、第３の終端分岐データ通信部５２にて受信された登録完了フレーム信号Ｓ203lを構成する最後段系統分岐器フラグを検出すると、記憶テーブル５３０の登録内容として図５（Ｂ）に示すように、ポート番号（／幹線番号）「３」に割当てられる系統番号及びＩＤ番号を、当該登録完了フレーム信号Ｓ203lを構成する系統番号「１」及びＩＤ番号「８」を適用して新たに登録（上書き登録）するとともに、自終端分岐器５が第３の系統幹線Ｌ3を経由して制御装置６に接続されておらず、制御装置６への出力信号を受信する旨の信号伝送方向を示す「後段側（受信ポート）」のデータをポート番号（／幹線番号）「３」に割当てて登録することができる。
【００７１】
また、終端分岐器５の幹線分岐制御部５３は、前述の登録完了フレーム信号Ｓ203lを受信した第３の終端分岐データ通信部５２に接続されるポートＰ3のポート番号「３」にリング状で隣接するポート番号である、ポート番号（／幹線番号）「１」に割当てられている登録内容を、記憶テーブル５３０を参照して確認する。ここでは、図４（Ｂ）、図５（Ａ）、（Ｂ）に示すように、系統番号「１」、ＩＤ番号「４」及び信号伝送方向を示す「前段側（受信ポート）」のデータのように登録状態であるため、当該系統番号再付与フレーム信号の送出を行うことはない。
【００７２】
次に、制御装置６の系統／ＩＤ番号管理部６０にて生成された第２の系統番号再付与フレーム信号Ｓ202には、その信号を構成するＩＤ番号として例えば、初期値「１」が付加されており、この第２の系統番号再付与フレーム信号Ｓ202は、第２の系統データ通信部６２、第２の系統幹線Ｌ2、系統分岐器４Ｅの前段側データ通信部４１を経由してＩＤ番号管理部４０に伝送される。
【００７３】
系統分岐器４ＥのＩＤ番号管理部４０は、前段側データ通信部４１にて受信された第２の系統番号再付与フレーム信号Ｓ202を構成するＩＤ番号「１」と前述の初回起動時において登録されていたＩＤ番号とを照合する。ここでは、ＩＤ番号が「１」、「１」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【００７４】
また、系統分岐器４ＥのＩＤ番号管理部４０は、同様に受信された第２の系統番号再付与フレーム信号Ｓ201を構成するＩＤ番号「１」に、所定値である例えば、「１」を加えた当該ＩＤ番号「２」の当該第１の系統番号再付与フレーム信号を生成するものの、後段側データ通信部４２を経由して第２の系統幹線Ｌ2との間が切断（接続断）されているため、系統分岐器４Ｆの前段側データ通信部４１を経由してＩＤ番号管理部４０に伝送されることはない。
【００７５】
次に、制御装置６の系統／ＩＤ番号管理部６０にて生成された第３の系統番号再付与フレーム信号Ｓ203には、その信号を構成するＩＤ番号として例えば、初期値「１」が付加されており、この第３の系統番号再付与フレーム信号Ｓ203は、第３の系統データ通信部６３、第３の系統幹線Ｌ3、系統分岐器４Ｉの前段側データ通信部４１を経由してＩＤ番号管理部４０に伝送される。
【００７６】
系統分岐器４ＩのＩＤ番号管理部４０は、前段側データ通信部４１にて受信された第３の系統番号再付与フレーム信号Ｓ203を構成するＩＤ番号「１」と前述の初回起動時において登録されていたＩＤ番号とを照合する。ここでは、ＩＤ番号が「１」、「１」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【００７７】
また、系統分岐器４ＩのＩＤ番号管理部４０は、同様に受信された第３の系統番号再付与フレーム信号Ｓ203を構成するＩＤ番号「１」に、所定値である例えば、「１」を加えた当該ＩＤ番号「２」と前述の系統番号「３」を付加した第３の系統番号再付与フレーム信号Ｓ203iを生成する。この第３の系統番号再付与フレーム信号Ｓ203iは、ＩＤ番号管理部４０から後段側データ通信部４２、第３の系統幹線Ｌ3、系統分岐器４Ｊの前段側データ通信部４１を経由してＩＤ番号登録部４０に伝送される。
【００７８】
系統分岐器４ＪのＩＤ番号管理部４０は、前段側データ通信部４１にて受信された第３の系統番号再付与フレーム信号Ｓ203iを構成するＩＤ番号「２」と前述の初回起動時において登録されていたＩＤ番号とを照合する。ここでは、ＩＤ番号が「２」、「２」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【００７９】
また、系統分岐器４ＪのＩＤ番号管理部４０は、同様に受信された第３の系統番号再付与フレーム信号Ｓ203iを構成するＩＤ番号「２」に、所定値である例えば、「１」を加えた当該ＩＤ番号「３」と前述の系統番号「３」を付加した第３の系統番号再付与フレーム信号Ｓ203jを生成する。この第３の系統番号再付与フレーム信号Ｓ203jは、ＩＤ番号管理部４０から後段側データ通信部４２、第３の系統幹線Ｌ3、系統分岐器４Ｋの前段側データ通信部４１を経由してＩＤ番号登録部４０に伝送される。
【００８０】
系統分岐器４ＫのＩＤ番号管理部４０は、前段側データ通信部４１にて受信された第３の系統番号再付与フレーム信号Ｓ203jを構成するＩＤ番号「３」と前述の初回起動時において登録されていたＩＤ番号とを照合する。ここでは、ＩＤ番号が「３」、「３」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【００８１】
また、系統分岐器４ＫのＩＤ番号管理部４０は、同様に受信された第３の系統番号再付与フレーム信号Ｓ203jを構成するＩＤ番号「３」に、所定値である例えば、「１」を加えた当該ＩＤ番号が「３」の当該第３の系統番号再付与フレーム信号を生成するものの、後段側データ通信部４２を経由して第３の系統幹線Ｌ3との間が切断（接続断）されているため、系統分岐器４Ｌの前段側データ通信部４１を経由してＩＤ番号管理部４０に伝送されることはない。
【００８２】
前述までの説明から明らかなように、本発明の第２の動作によれば、制御装置６の系統／ＩＤ番号管理部６０は、ＩＤ番号の新たな登録（上書き登録）が完了したことの登録完了フレーム信号Ｓ202f、Ｓ202g、Ｓ202h、Ｓ203lをそれぞれ検出し、終端分岐器５の幹線分岐制御部５３における記憶テーブル５３０の登録内容として、ポート番号（／幹線番号）「２」、「３」にそれぞれ割当てられた系統番号、ＩＤ番号及び信号伝送方向を示すデータを新たに登録（上書き登録）することにより、前述の不達状態における系統分岐器４Ｆの端末側データ通信部４４、４５、４６に接続された端末（カメラ端末、モニタ端末、子機端末）、例えば、カメラ端末１からのデータ信号（映像信号）の信号伝送路としては、当該系統分岐器４Ｆの端末側データ通信部４３、後段側データ通信部４２、第２の系統幹線Ｌ2、系統分岐器４Ｇの前段側データ通信部４１、ＩＤ番号管理部４０、後段側データ通信部４２、第２の系統幹線Ｌ2、系統分岐器４Ｈの前段側データ通信部４１、ＩＤ番号管理部４０、後段側データ通信部４２、第２の系統幹線Ｌ2、終端分岐器５の（ポートＰ2に接続された）第２の終端分岐データ通信部５１、幹線分岐制御部５３、（ポートＰ1に接続された）第１の終端分岐データ通信部５０、第１の系統幹線Ｌ1、系統分岐器４Ｄの後段側データ通信部４２、ＩＤ番号管理部４０、前段側データ通信部４１、第１の系統幹線Ｌ1、系統分岐器４Ｃの後段側データ通信部４２、ＩＤ番号管理部４０、前段側データ通信部４１、第１の系統幹線Ｌ1、系統分岐器４Ｂの後段側データ通信部４２、ＩＤ番号管理部４０、前段側データ通信部４１、第１の系統幹線Ｌ1、系統分岐器４Ａの後段側データ通信部４２、ＩＤ番号管理部４０、前段側データ通信部４１、第１の系統幹線Ｌ1、制御装置６の第１の系統データ通信部６１を経由して系統／ＩＤ番号管理部６０までの信号伝送路を形成することができ、前述の初回起動時とは異なる通信経路が確保されて継続した通信が可能となる。
【００８３】
また、前述の不達状態における系統分岐器４Ｌの端末側データ通信部４４、４５、４６に接続された端末（カメラ端末、モニタ端末、子機端末）、例えば、カメラ端末１からのデータ信号（映像信号）の信号伝送路としては、当該系統分岐器４Ｌの端末側データ通信部４３、後段側データ通信部４２、第３の系統幹線Ｌ3、終端分岐器５の（ポートＰ3に接続された）第３の終端分岐データ通信部５２、幹線分岐制御部５３、（ポートＰ1に接続された）第１の終端分岐データ通信部５０、第１の系統幹線Ｌ1、系統分岐器４Ｄの後段側データ通信部４２、ＩＤ番号管理部４０、前段側データ通信部４１、第１の系統幹線Ｌ1、系統分岐器４Ｃの後段側データ通信部４２、ＩＤ番号管理部４０、前段側データ通信部４１、第１の系統幹線Ｌ1、系統分岐器４Ｂの後段側データ通信部４２、ＩＤ番号管理部４０、前段側データ通信部４１、第１の系統幹線Ｌ1、系統分岐器４Ａの後段側データ通信部４２、ＩＤ番号管理部４０、前段側データ通信部４１、第１の系統幹線Ｌ1、制御装置６の第１の系統データ通信部６１を経由して系統／ＩＤ番号管理部６０までの信号伝送路を形成することができ、前述の初回起動時とは異なる通信経路が確保されて継続した通信が可能となる。
【００８４】
なお、本発明の第２の動作によれば、系統分岐器４Ｅ及び系統分岐器４Ｆの間を接続する第２の系統幹線Ｌ2が切断（接続断）された場合と、系統分岐器４ｋ及び終端分岐器６の間を接続する第３の系統幹線Ｌ3が切断（接続断）された場合の動作について説明したが、この態様に限定されるものではない。例えば、第１、第２、第３の系統毎の複数の系統分岐器４Ａ、４Ｂ、４Ｃ、４Ｄ、４Ｅ、４Ｆ、４Ｇ、４Ｈ、４Ｉ、４Ｊ、４Ｋ、４Ｌのうち、最前断の系統分岐器４Ａ、４Ｅ、４Ｉ及び制御装置６の間の第１乃至第３の系統幹線Ｌ1、Ｌ2、Ｌ3が切断された場合には、この接続断は制御装置６の第１乃至第３の系統データ通信部６１、６２、６３にてそれぞれ検出され、これを確認した系統／ＩＤ番号管理部６０が前述のような第１乃至第３の系統番号再付与フレーム信号Ｓ201、Ｓ202、Ｓ203を生成することができるため、同様な動作が可能となる。
『第３の動作』
次に、本発明の第３の動作として、前述の第２の動作に伴う（接続断時の）ＩＤ番号の再付与後（図５（Ｂ）、図６（Ａ）を参照。）において、図２（Ｂ）に示す系統分岐器４Ｆの前段側データ通信部４１は、定期的なタイミングでＩＤ番号の再付与を要求するための再付与要求通知フレーム信号Ｓ310fを生成することができる。ここで、この信号生成のタイミングが、図６（Ｂ）に示すような前述の接続断から復旧したタイミングであると、再付与要求通知フレーム信号Ｓ310fは、前段側データ通信部４１から第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０に伝送される。
【００８５】
また、前述の第２の動作に伴い、系統分岐器４Ｆとの間が接続断となっていた系統分岐器４ＥのＩＤ番号管理部４０は、後段側データ通信部４２を経由して系統分岐器４Ｆからの再付与要求通知フレーム信号Ｓ310fを受信すると、終端分岐器５の幹線分岐制御部５３における記憶テーブル５３０の登録内容のうちポート番号（／幹線番号）「２」、「３」に割当てられている登録内容を（全て）削除して「未登録（未登録状態）」とするための登録情報削除要求フレーム信号Ｓ302eを生成する。この登録情報削除要求フレーム信号Ｓ302eは、ＩＤ番号管理部４０から後段側データ通信部４２、第２の系統幹線Ｌ2、系統分岐器４Ｆの前段側データ通信部４１、ＩＤ番号管理部４０、後段側データ通信部４２、第２の系統幹線Ｌ2、系統分岐器４Ｇの前段側データ通信部４１、ＩＤ番号管理部４０、後段側データ通信部４２、第２の系統幹線Ｌ2、系統分岐器４Ｈの前段側データ通信部４１、ＩＤ番号管理部４０、後段側データ通信部４２、第２の系統幹線Ｌ2、終端分岐器５の（ポートＰ2に接続された）第２の終端分岐データ通信部５１を経由して幹線分岐制御部５３に伝送される。
【００８６】
終端分岐器５の幹線分岐制御部５３は、前述のように系統分岐器４Ｅの後段側データ通信部４２から伝送されてきた系統登録情報削除要求フレーム信号Ｓ302eを受信すると、記憶テーブル５３０の登録内容を図６（Ｂ）に示すように、ポート番号（／幹線番号）「２」、「３」にそれぞれ割当てられている登録内容を（全て）削除して「未登録（未登録状態）」とすることができる。
【００８７】
一方、制御装置６の系統／ＩＤ番号管理部６０は、前述のように系統分岐器４Ｆの前段側通信部４１から伝送されてきた再付与要求通知フレーム信号Ｓ310fを受信すると、第１乃至第３の系統幹線Ｌ1、Ｌ2、Ｌ3にそれぞれ接続される第１乃至第３の系統データ通信部６１、６２、６３に対して同時のタイミングで、自制御装置６が管理を行うためのＩＤ番号を再付与する系統番号「１」、「２」、「３」がそれぞれ付加された第１乃至第３の系統番号再付与フレーム信号Ｓ401、Ｓ402、Ｓ403を生成する（図６（Ｃ）を参照。）。
【００８８】
ここで、制御装置６の系統／ＩＤ番号管理部６０にて生成された第１の系統番号再付与フレーム信号Ｓ401には、その信号を構成するＩＤ番号として例えば、初期値「１」が付加されており、この第１の系統番号再付与フレーム信号Ｓ401は、第１の系統データ通信部６１、第１の系統幹線Ｌ1、系統分岐器４Ａの前段側データ通信部４１を経由してＩＤ番号管理部４０に伝送される。
【００８９】
系統分岐器４ＡのＩＤ番号管理部４０は、前段側データ通信部４１にて受信された第１の系統番号再付与フレーム信号Ｓ401を構成するＩＤ番号「１」と前述の初回起動時において登録されていたＩＤ番号とを照合する。ここでは、ＩＤ番号が「１」、「１」で一致するため、これを検出したＩＤ番号管理部４０は、何らの登録動作は行わず、ゆえに、制御装置６の系統／ＩＤ番号管理部６０に対して等顔登録完了フレーム信号を送出することもない。
【００９０】
また、系統分岐器４ＡのＩＤ番号管理部４０は、同様に受信された第１の系統番号再付与フレーム信号Ｓ401を構成するＩＤ番号「１」に、所定値である例えば、「１」を加えた当該ＩＤ番号「２」と前述の系統番号「１」を付加した第１の系統番号再付与フレーム信号Ｓ401aを生成する。この第１の系統番号再付与フレーム信号Ｓ401aは、ＩＤ番号管理部４０から後段側データ通信部４２、第１の系統幹線Ｌ1、系統分岐器４Ｂの前段側データ通信部４１を経由してＩＤ管理部４０に伝送される。
【００９１】
このように、第１の系統幹線Ｌ1を経由して制御装置６に順次接続された複数の系統分岐器４Ａ、４Ｂ、４Ｃ、４ＤのＩＤ番号管理部４０はそれぞれ、前段側データ通信部４１にて受信された当該第１の系統番号付与フレーム信号を構成するＩＤ番号に、所定値である例えば、「１」を順次加えた当該ＩＤ番号「２」、「３」、「４」と前述の系統番号「１」とを付加した第１の系統番号再付与フレーム信号Ｓ401a、Ｓ401b、Ｓ401c、Ｓ401dを生成し、後段側データ通信部４２を経由して第１の系統幹線Ｌ1に送出することができる（図２（Ｂ）、図６（Ｃ）を参照。）。
【００９２】
次に、制御装置６の系統／ＩＤ番号管理部６０にて生成された第２の系統番号再付与フレーム信号Ｓ402には、その信号を構成するＩＤ番号として例えば、初期値「１」が付加されており、この第２の系統番号再付与フレーム信号Ｓ402は、第２の系統データ通信部６２、第２の系統幹線Ｌ2、系統分岐器４Ｅの前段側データ通信部４１を経由してＩＤ番号管理部４０に伝送される。
【００９３】
系統分岐器４ＥのＩＤ番号管理部４０は、前段側データ通信部４１にて受信された第２の系統番号再付与フレーム信号Ｓ402を構成するＩＤ番号「１」と前述の初回起動時において登録されていたＩＤ番号とを照合する。ここでは、ＩＤ番号が「１」、「１」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【００９４】
また、系統分岐器４ＥのＩＤ番号管理部４０は、同様に受信された第２の系統番号再付与フレーム信号Ｓ402を構成するＩＤ番号「１」に、所定値である例えば、「１」を加えた当該ＩＤ番号「２」と前述の系統番号「２」を付加した第２の系統番号再付与フレーム信号Ｓ402eを生成する。この第２の系統番号再付与フレーム信号Ｓ402eは、ＩＤ番号管理部４０から後段側データ通信部４２、第２の系統幹線Ｌ2、系統分岐器４Ｆの前段側データ通信部４１を経由してＩＤ番号管理部４０に伝送される。
【００９５】
系統分岐器４ＦのＩＤ番号管理部４０は、前段側データ通信部４１にて受信された第２の系統番号再付与フレーム信号Ｓ402eを構成するＩＤ番号「２」と前述の接続断時において登録されていたＩＤ番号とを照合する。ここでは、ＩＤ番号が「２」、「７」で不一致であるため、これを検出したＩＤ番号管理部４０は、第２の系統番号再付与フレーム信号Ｓ402eを構成するＩＤ番号「２」を、自系統分岐器４Ｆに割当てられる当該ＩＤ番号として図６（Ｃ）に示すように新たに登録（上書き登録）した後、登録が完了したことの登録完了フレーム信号Ｓ410fを生成する。この登録完了フレーム信号Ｓ410fは、ＩＤ番号管理部４０から前段側データ通信部４１、第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０に伝送される。
【００９６】
また、系統分岐器４ＦのＩＤ番号管理部４０は、同様に受信された第２の系統番号再付与フレーム信号Ｓ402eを構成するＩＤ番号「２」に、所定値である例えば、「１」を加えた当該ＩＤ番号「３」と前述の系統番号「２」を付加した第２の系統番号付与フレーム信号Ｓ402fを生成する。この第２の系統番号付与フレーム信号Ｓ402fは、ＩＤ番号管理部４０から後段側データ通信部４２、第２の系統幹線Ｌ2、系統分岐器４Ｇの前段側データ通信部４１を経由してＩＤ番号管理部４０に伝送される。
【００９７】
系統分岐器４ＧのＩＤ番号管理部４０は、前段側データ通信部４１にて受信された第２の系統番号再付与フレーム信号Ｓ402fを構成するＩＤ番号「３」と前述の接続断時において登録されていたＩＤ番号とを照合する。ここでは、ＩＤ番号が「３」、「６」で不一致であるため、これを検出したＩＤ番号管理部４０は、第２の系統番号再付与フレーム信号Ｓ402fを構成するＩＤ番号「３」を、自系統分岐器４Ｇに割当てられる当該ＩＤ番号とし図６（Ｃ）に示すように新たに登録（上書き登録）した後、登録が完了したことの登録完了フレーム信号Ｓ410gを生成する。この登録完了フレーム信号Ｓ410gは、ＩＤ番号管理部４０から前段側データ通信部４１、第２の系統幹線Ｌ2、系統分岐器４Ｆの後段側データ通信部４２、ＩＤ番号管理部４０、前段側データ通信部４１、第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０に伝送される。
【００９８】
また、系統分岐器４ＧのＩＤ番号管理部４０は、同様に受信された第２の系統番号再付与フレーム信号Ｓ402fを構成するＩＤ番号「３」に、所定値である例えば、「１」を加えた当該ＩＤ番号「４」と前述の系統番号「２」を付加した第２の系統番号付与フレーム信号Ｓ402gを生成する。この第２の系統番号付与フレーム信号Ｓ402gは、ＩＤ番号管理部４０から後段側データ通信部４２、第２の系統幹線Ｌ2、系統分岐器４Ｈの前段側データ通信部４１を経由してＩＤ番号管理部４０に伝送される。
【００９９】
系統分岐器４ＨのＩＤ番号管理部４０は、前段側データ通信部４１にて受信された第２の系統番号再付与フレーム信号Ｓ402gを構成するＩＤ番号「４」と前述の接続断時において登録されていたＩＤ番号とを照合する。ここでは、ＩＤ番号が「４」、「５」で不一致であるため、これを検出したＩＤ番号管理部４０は、第２の系統番号再付与フレーム信号Ｓ402gを構成するＩＤ番号「４」を、自系統分岐器４Ｈに割当てられる当該ＩＤ番号として図６（Ｃ）に示すように新たに登録（上書き登録）した後、登録が完了したことの登録完了フレーム信号Ｓ410hを生成する。この登録完了フレーム信号Ｓ410hは、ＩＤ番号管理部４０から前段側データ通信部４１、第２の系統幹線Ｌ2、系統分岐器４Ｇの後段側データ通信部４２、ＩＤ番号管理部４０、前段側データ通信部４１、第２の系統幹線Ｌ2、系統分岐器４Ｆの後段側データ通信部４２、ＩＤ番号管理部４０、前段側データ通信部４１、第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０に伝送される。
【０１００】
また、系統分岐器４ＨのＩＤ番号管理部４０は、同様に受信された第２の系統番号再付与フレーム信号Ｓ402gを構成するＩＤ番号「４」に、所定値である例えば、「１」を加えた当該ＩＤ番号「５」と前述の系統番号「２」を付加した第２の系統番号付与フレーム信号Ｓ402hを生成する。この第２の系統番号付与フレーム信号Ｓ402hは、ＩＤ番号管理部４０から後段側データ通信部４２、第２の系統幹線Ｌ2、終端分岐器５の（ポートＰ2に接続された）第２の終端分岐データ通信部５１を経由して幹線分岐管理部５３に伝送される。
【０１０１】
次に、制御装置６の系統／ＩＤ番号管理部６０にて生成された第３の系統番号再付与フレーム信号Ｓ403には、その信号を構成するＩＤ番号として例えば、初期値「１」が付加されており、この第３の系統番号再付与フレーム信号Ｓ403は、第３の系統データ通信部６３、第３の系統幹線Ｌ3、系統分岐器４Ｉの前段側データ通信部４１を経由してＩＤ番号管理部４０に伝送される。
【０１０２】
系統分岐器４ＩのＩＤ番号管理部４０は、前段側データ通信部４１にて受信された第３の系統番号再付与フレーム信号Ｓ403を構成するＩＤ番号「１」と前述の初回起動時において登録されていたＩＤ番号とを照合する。ここでは、ＩＤ番号が「１」、「１」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【０１０３】
また、系統分岐器４ＩのＩＤ番号管理部４０は、同様に受信された第３の系統番号再付与フレーム信号Ｓ403を構成するＩＤ番号「１」に、所定値である例えば、「１」を加えた当該ＩＤ番号「２」と前述の系統番号「３」を付加した第３の系統番号再付与フレーム信号Ｓ403iを生成する。この第３の系統番号再付与フレーム信号Ｓ403iは、ＩＤ番号管理部４０から後段側データ通信部４２、第３の系統幹線Ｌ3、系統分岐器４Ｊの前段側データ通信部４１を経由してＩＤ番号管理部４０に伝送される。
【０１０４】
系統分岐器４ＪのＩＤ番号管理部４０は、前段側データ通信部４１にて受信された第３の系統番号再付与フレーム信号Ｓ403iを構成するＩＤ番号「２」と前述の初回起動時において登録されていたＩＤ番号とを照合する。ここでは、ＩＤ番号が「２」、「２」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【０１０５】
また、系統分岐器４ＪのＩＤ番号管理部４０は、同様に受信された第３の系統番号再付与フレーム信号Ｓ403iを構成するＩＤ番号「２」に、所定値である例えば、「１」を加えた当該ＩＤ番号「３」と前述の系統番号「３」を付加した第３の系統番号再付与フレーム信号Ｓ403jを生成する。この第３の系統番号再付与フレーム信号Ｓ403jは、ＩＤ番号管理部４０から後段側データ通信部４２、第３の系統幹線Ｌ3、系統分岐器４Ｋの前段側データ通信部４１を経由してＩＤ番号管理部４０に伝送される。
【０１０６】
系統分岐器４ＫのＩＤ番号管理部４０は、前段側データ通信部４１にて受信された第３の系統番号再付与フレーム信号Ｓ403jを構成するＩＤ番号「３」と前述の初回起動時において登録されていたＩＤ番号とを照合する。ここでは、ＩＤ番号が「３」、「３」で一致するため、これを検出したＩＤ番号管理部４０は、何らの登録動作は行わず、ゆえに、制御装置６の系統／ＩＤ番号管理部６０に対して当該登録完了フレーム信号の送出を行うこともない。
【０１０７】
また、系統分岐器４ＪのＩＤ番号管理部４０は、同様に受信された第３の系統番号再付与フレーム信号Ｓ403jを構成するＩＤ番号「３」に、所定値である例えば、「１」を加えた当該ＩＤ番号「４」と前述の系統番号「３」を付加した当該第３の系統番号再付与フレーム信号を生成するものの、この第３の系統幹線Ｌ3と（直後段である）系統分岐器４Ｌの前段側データ通信部４１との間は切断（接続断）が続いているため、系統分岐器４ＬのＩＤ番号管理部４０に伝送されず、ゆえに、終端分岐器５の幹線分岐制御部５０３に伝送されることもない。
【０１０８】
次に、前述のような動作が行われたとき、終端分岐器５の幹線分岐制御部５３は、記憶テーブル５３０を参照し、第１の系統番号再付与フレーム信号Ｓ401dを受信した第１の終端分岐データ通信部５０に接続されるポートＰ1のポート番号「１」にリング状で隣接するポート番号である、ポート番号（／幹線番号）「２」に割当てられて系統番号及びＩＤバングが登録されているか否かを検出し、登録状態でない「未登録（未登録状態）」の場合には、受信した第１の系統番号付与フレーム信号Ｓ401dを構成するＩＤ番号「５」と前述の系統番号「１」を付加した当該番号再付与フレーム信号を生成し、ポート番号「１」にリング状で隣接するポート番号「２」が付与されたポートＰ2に接続されている第２の終端分岐データ通信部５１から第２の系統幹線Ｌ2を経由して最後段の系統分岐器４Ｈに送出する。
【０１０９】
ここでは、終端分岐器５の幹線分岐制御部５３における記憶テーブル５３０の登録内容として、図６（Ｃ）に示すようにポート番号（／幹線番号）「２」に割当てられて系統番号「２」及びＩＤ番号「４」がそれぞれ登録されている「登録状態」であるため、前述のような、受信した第１の系統番号付与フレーム信号Ｓ401dを構成するＩＤ番号「５」と前述の系統番号「１」を付加した当該番号再付与フレーム信号が生成されることなく、ゆえに、最後段の系統分岐器４Ｈに送出されることもない。
【０１１０】
また、終端分岐器５の幹線分岐制御部５３は、記憶テーブル５３０の記憶テーブル５３０の登録内容を参照し、第２の系統番号再付与フレーム信号Ｓ402hを受信した第２の終端分岐データ通信部５１に接続されるポートＰ2のポート番号「２」にリング状で隣接するポート番号である、ポート番号（／幹線番号）「３」に割当てられて系統番号及びＩＤバングが登録されているか否かを検出し、登録状態でない「未登録（未登録状態）」の場合には、受信した第２の系統番号付与フレーム信号Ｓ402hを構成するＩＤ番号「５」と前述の系統番号「２」を付加した当該番号再付与フレーム信号を生成し、ポート番号「２」にリング状で隣接するポート番号「３」が付与されたポートＰ3に接続されている第３の終端分岐データ通信部５２から第３の系統幹線Ｌ3を経由して最後段の系統分岐器４Ｌに送出する。
【０１１１】
ここでは、終端分岐器５の幹線分岐制御部５３における記憶テーブル５３０の登録内容として、図６（Ａ）、（Ｂ）に示すようにポート番号（／幹線番号）「３」に割当てられた系統番号及びＩＤ番号が「未登録（未登録状態）」であるため、前述のような、受信した第２の系統番号付与フレーム信号Ｓ402hを構成するＩＤ番号「５」と前述の系統番号「２」を付加した第２の系統番号再付与フレーム信号Ｓ510が生成される。この第２の系統番号再付与フレーム信号Ｓ510は、幹線分岐制御部５３から第３の終端分岐データ通信部５２、第３の系統幹線Ｌ3、系統分岐器４Ｌの後段側データ通信部４２を経由してＩＤ番号管理部４０に伝送される。
【０１１２】
系統分岐器４ＬのＩＤ番号管理部４０は、後段側データ通信部４２にて受信された第２の系統番号再付与フレーム信号Ｓ510を構成するＩＤ番号「５」と前述の接続断時において登録されていたＩＤ番号とを照合する。ここでは、ＩＤ番号が「５」、「８」で不一致であるため、これを検出したＩＤ番号管理部４０は、第２の系統番号再付与フレーム信号Ｓ510を構成するＩＤ番号「５」を、自系統分岐器４Ｌに割当てられる当該ＩＤ番号として新たに登録（上書き登録）した後、登録されたＩＤ番号「５」及び系統番号「２」と終端分岐器５が有するポート番号「３」のポートＰ3に接続される最後段の当該系統分岐器であることを示す最後段分岐器フラグが付加された登録完了フレーム信号Ｓ403lを生成する。この登録完了フレーム信号Ｓ403lは、ＩＤ管理部４０から後段側データ通信部４２、第３の系統幹線Ｌ3、終端分岐器５の（ポートＰ3に接続された）第３の終端データ通信部５２、（ポートＰ2に接続された）第２の終端分岐データ通信部５１、第２の系統幹線Ｌ2、系統分岐器４Ｈの後段側データ通信部４２、ＩＤ番号管理部４０、前段側データ通信部４１、第２の系統幹線Ｌ2、系統分岐器４Ｇの後段側データ通信部４２、ＩＤ番号管理部４０、前段側データ通信部４１、第２の系統幹線Ｌ2、系統分岐器４Ｆの後段側データ通信部４２、ＩＤ番号管理部４０、前段側データ通信部４１、第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０に伝送される。
【０１１３】
また、終端分岐器５の幹線分岐制御部５３は、第３の終端分岐データ通信部５２にて受信された登録完了フレーム信号Ｓ403lを構成する最後段系統分岐器フラグを検出すると、記憶テーブル５３０の登録内容として図６（Ｃ）に示すように、ポート番号（／幹線番号）「３」に割当てられる系統番号及びＩＤ番号を、当該登録完了フレーム信号Ｓ403lを構成する系統番号「２」及びＩＤ番号「５」を適用して新たに登録（上書き登録）するとともに、自終端分岐器５が第３の系統幹線Ｌ3を経由して制御装置６に接続されておらず、制御装置６への出力信号を受信する旨の信号伝送方向を示す「後段側（受信ポート）」のデータをポート番号（／幹線番号）「２」に割当てて登録することができる。
【０１１４】
前述までの説明から明らかなように、本発明の第３の動作によれば、制御装置６の系統／ＩＤ番号管理部６０は、接続断が復旧してＩＤ番号の新たな登録（上書き登録）が完了したことの登録完了フレーム信号Ｓ410f、Ｓ410g、Ｓ410h、Ｓ403lをそれぞれ検出することにより、前述の接続断時とは異なる通信経路を確保することができる。具体的に、前述の接続断から復旧した系統分岐器４Ｆの端末側データ通信部４４、４５、４６に接続された端末（カメラ端末、モニタ端末、子機端末）、例えば、カメラ端末１からのデータ信号（映像信号）の信号伝送路としては、当該系統分岐器４Ｆの端末側データ通信部４３、前段側データ通信部４１、第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０までの信号伝送路を形成することができ、前述の接続断時とは異なる通信経路が確保されて継続した通信が可能となる。
【０１１５】
また、前述の不達状態における系統分岐器４Ｌの端末側データ通信部４４、４５、４６に接続された端末（カメラ端末、モニタ端末、子機端末）、例えば、カメラ端末１からのデータ信号（映像信号）の信号伝送路としては、当該系統分岐器４Ｌの端末側データ通信部４３、後段側データ通信部４２、第３の系統幹線Ｌ3、終端分岐器５の（ポートＰ3に接続された）第３の終端分岐データ通信部５２、幹線分岐制御部５３、（ポートＰ2に接続された）第２の終端分岐データ通信部５１、第２の系統幹線Ｌ2、系統分岐器４Ｈの後段側データ通信部４２、ＩＤ番号管理部４０、前段側データ通信部４１、第２の系統幹線Ｌ2、系統分岐器４Ｇの後段側データ通信部４２、ＩＤ番号管理部４０、前段側データ通信部４１、第２の系統幹線Ｌ2、系統分岐器４Ｆの後段側データ通信部４２、ＩＤ番号管理部４０、前段側データ通信部４１、第２の系統幹線Ｌ2、系統分岐器４Ｅの後段側データ通信部４２、ＩＤ番号管理部４０、前段側データ通信部４１、第２の系統幹線Ｌ2、制御装置６の第２の系統データ通信部６２を経由して系統／ＩＤ番号管理部６０までの信号伝送路を形成することができ、前述の初回起動時及び接続断時とは異なる通信経路が確保されて継続した通信が可能となる。
【０１１６】
本発明のインターホンシステムにおいては、特定の実施の形態をもって説明してきたが、この形態に限定されるものでなく、本発明の効果を奏する限り、これまで知られた如何なる構成の当該システムであっても採用できるということは言うまでもないことである。
【０１１７】
具体的に、本発明の実施例においては、制御装置６に接続される複数の系統分岐器として、第１乃至第３の系統幹線Ｌ1、Ｌ2、Ｌ3を経由して最前段から最後段へ順次接続される４台ずつの系統分岐器４Ａ、４Ｂ、４Ｃ、４Ｄ、系統分岐器４Ｅ、４Ｆ、４Ｇ、４Ｈ、系統分岐器４Ｉ、４Ｊ、４Ｋ、４Ｌを適用し、系統毎の最後段の分岐器４Ｄ、４Ｈ、４Ｌをそれぞれ、終端分岐器５に接続して通信経路を多重化したが、この系統数に限定されるものでない。例えば、より複数の系統による最後段の当該系統分岐器をそれぞれ、終端分岐器５に接続して通信経路を多重化させることもできる。
【０１１８】
また、本発明の実施例においては、第１乃至第３の系統幹線Ｌ1、Ｌ2、Ｌ3を経由して最前段から最後段へ順次接続される複数の系統分岐器として、４台ずつの系統分岐器４Ａ、４Ｂ、４Ｃ、４Ｄ、系統分岐器４Ｅ、４Ｆ、４Ｇ、４Ｈ、系統分岐器４Ｉ、４Ｊ、４Ｋ、４Ｌを適用したが、この態様に限定されるものではない。例えば、当該インターホンシステムが設置される建物（集合住宅）の規模に対応させた数の当該系統分岐器を設けることができる。
【０１１９】
また、本発明の実施例においては、制御装置６の系統／ＩＤ番号管理部６０にて生成される当該系統番号付与フレーム信号及び当該系統番号再付与フレーム信号を構成するＩＤ番号として、初期値「１」の当該ＩＤ番号を適用したが、この値に限定されるものではない。例えば、「１」以外の適宜な値（初期値）のＩＤ番号を適用することができる。
【０１２０】
さらに、本発明の実施例においては、複数の系統分岐器４Ａ、４Ｂ、４Ｃ、４Ｄ、４Ｅ、４Ｆ、４Ｇ、４Ｈ、４Ｉ、４Ｊ、４Ｋ、４ＬのＩＤ番号管理部４０の動作として、受信した番号付与フレーム信号を構成するＩＤ番号に所定値を追加するにあたり、その所定値として「１」を適用したが、この値に限定されるものではない。例えば、「１」以外の適宜な値を追加することができる。
【符号の説明】
【０１２１】
１、１、・・・、２、２、・・・、３、３、・・・ ……複数の端末
４Ａ、４Ｂ、４Ｃ、４Ｄ、４Ｅ、４Ｆ、４Ｇ、４Ｈ、４Ｉ、４Ｊ、４Ｋ、４Ｌ……複数の系統分岐器
４０……ＩＤ番号管理部
４１……前段側データ通信部
４２……後段側データ通信部
４３、４４、４５……端末側データ通信部
５……終端分岐器
５０、５１、５２……（第１乃至第３の）終端分岐データ通信部
５３……幹線分岐制御部
６……制御装置
６０……系統／ＩＤ番号管理部
５１、５２、５３……（第１乃至第３の）系統データ通信部
Ｌ1、Ｌ2、Ｌ3……第１乃至第３の系統幹線（複数の系統毎の幹線）
【図１】
0005779473.tif 000002
【図２】
0005779473.tif 000003
【図３】
0005779473.tif 000004
【図４】
0005779473.tif 000005
【図５】
0005779473.tif 000006
【図６】
0005779473.tif 000007